(57)【要約】【課題】メンテナンス要求指標データ出力装置のデータ処理の負荷の増大を抑制しつつ、メンテナンス時期であることの通知が行われる前にメンテナンスに関する状況をユーザに通知できるメンテナンス要求指標データ出力装置を提供する。【解決手段】本発明に係るメンテナンス要求指標データ出力装置は、メンテナンス要求指標データ更新部を備える。メンテナンス要求指標データ更新部は、ビークル使用量データに基づいて、ビークル特定データにより特定されるビークルのメンテナンス要求指標データであって、メンテナンス要求指標データ記憶部が記憶しているメンテナンス要求指標データを更新する。メンテナンス要求指標データは、ビークル使用量データが増加することにより増加する。【選択図】図１
2020038406.tif 000002
【特許請求の範囲】
【請求項１】
（Ａ）のメンテナンス要求指標データ記憶部と（Ｂ）のメンテナンス要求指標データ出力部と（Ｃ）のビークル使用量データ取得部と（Ｄ）のメンテナンス要求指標データ更新部とを備えるメンテナンス要求指標データ出力装置。
（Ａ）
前記メンテナンス要求指標データ記憶部は、ビークル特定データとメンテナンス要求指標データとを関連付けて記憶しており、
前記ビークル特定データは、ビークルを特定するためのデータであり、
前記メンテナンス要求指標データは、長さの次元指数、質量の次元指数、時間の次元指数、電流の次元指数、熱力学温度の次元指数、物質量の次元指数又は光度の次元指数が０である無次元の指標である。
（Ｂ）
前記メンテナンス要求指標データ出力部は、前記メンテナンス要求指標データ記憶部が記憶している前記メンテナンス要求指標データを前記メンテナンス要求指標データ出力装置の外部に出力する。
（Ｃ）
前記ビークル使用量データ取得部は、前記ビークル特定データと、前記ビークル特定データにより特定される前記ビークルの使用量を示すビークル使用量データと、を取得し、
前記ビークル使用量データは、長さの次元指数、質量の次元指数、時間の次元指数、電流の次元指数、熱力学温度の次元指数、物質量の次元指数又は光度の次元指数の少なくとも１つが０ではない指標、及び／又は、長さの次元指数、質量の次元指数、時間の次元指数、電流の次元指数、熱力学温度の次元指数、物質量の次元指数及び光度の次元指数が０である回数を示す指標であり、前記ビークルが使用されることにより増加する。
（Ｄ）
前記メンテナンス要求指標データ更新部は、前記ビークル使用量データ取得部が取得した前記ビークル使用量データに基づいて、前記ビークル使用量データ取得部が取得した前記ビークル特定データにより特定される前記ビークルの前記メンテナンス要求指標データであって、前記メンテナンス要求指標データ記憶部が記憶している前記メンテナンス要求指標データを更新し、
前記メンテナンス要求指標データは、前記ビークル使用量データが増加することにより増加する。
【請求項２】
前記メンテナンス要求指標データは、前記ビークルのメンテナンスに関するサービスと交換できる指標を示すデータであり、
前記メンテナンス要求指標データは、前記ビークルのユーザが料金を支払うことなく増加する指標のデータである、
請求項１に記載のメンテナンス要求指標データ出力装置。
【請求項３】
前記ビークルのメンテナンスに関するサービスは、第１製造者により提供され、
第２製造者は、前記ビークルの製造者であり、かつ、前記第１製造者と異なる製造者であり、
前記メンテナンス要求指標データ記憶部は、前記ビークル特定データと、前記ビークル特定データにより特定される前記ビークルの製造者を示すビークル製造者データと、前記メンテナンス要求指標データとを関連付けて記憶しており、
前記メンテナンス要求指標データ更新部は、前記ビークル使用量データ取得部が取得した前記ビークル特定データにより特定される前記ビークルの前記ビークル製造者データが、前記第１製造者及び前記第２製造者のいずれを示す場合であっても、前記ビークル使用量データ取得部が取得した前記ビークル使用量データに基づいて、前記ビークル使用量データ取得部が取得した前記ビークル特定データにより特定される前記ビークルの前記メンテナンス要求指標データであって、前記メンテナンス要求指標データ記憶部が記憶している前記メンテナンス要求指標データを更新する、
請求項２に記載のメンテナンス要求指標データ出力装置。
【請求項４】
前記メンテナンス要求指標データ更新部は、前記第１製造者が製造した前記ビークルの前記ビークル使用量データと前記第２製造者が製造した前記ビークルの前記ビークル使用量データとが等しい場合には、前記第１製造者が製造した前記ビークルに対して発生する前記メンテナンス要求指標データを前記第２製造者が製造した前記ビークルに対して発生する前記メンテナンス要求指標データより大きくする、
請求項３に記載のメンテナンス要求指標データ出力装置。
【請求項５】
前記ビークルのメンテナンスに関するサービスとは、前記ビークルの消耗品の購入、又は、前記ビークルの消耗品の交換である、
請求項２ないし請求項４のいずれかに記載のメンテナンス要求指標データ出力装置。
【請求項６】
前記メンテナンス要求指標データ出力装置は、
前記ビークル特定データと、前記メンテナンス要求指標データが前記ビークルのメンテナンスに関するサービスと交換されたときの前記メンテナンス要求指標データの減少量を示す交換メンテナンス要求指標データを取得する交換メンテナンス要求指標データ取得部を、
更に備えており、
前記メンテナンス要求指標データ更新部は、前記交換メンテナンス要求指標データに基づいて、前記交換メンテナンス要求指標データ取得部が取得した前記ビークル特定データにより特定される前記ビークルの前記メンテナンス要求指標データであって、前記メンテナンス要求指標データ記憶部が記憶している前記メンテナンス要求指標データを更新する、
請求項２ないし請求項５のいずれかに記載のメンテナンス要求指標データ出力装置。
【請求項７】
前記メンテナンス要求指標データ更新部は、前記ビークル使用量データ取得部が取得した前記ビークル使用量データに基づいて、前記ビークル使用量データ取得部が取得した前記ビークル特定データにより特定される前記ビークルの差分メンテナンス要求指標データを取得し、
前記メンテナンス要求指標データ更新部は、前記差分メンテナンス要求指標データに基づいて、前記ビークル使用量データ取得部が取得した前記ビークル特定データにより特定される前記ビークルの前記メンテナンス要求指標データであって、前記メンテナンス要求指標データ記憶部が記憶している前記メンテナンス要求指標データを更新し、
前記差分メンテナンス要求指標データは、前記ビークル使用量データによる前記メンテナンス要求指標データの増加量である、
請求項１ないし請求項６のいずれかに記載のメンテナンス要求指標データ出力装置。
【請求項８】
前記メンテナンス要求指標データ記憶部は、前記ビークル特定データと前記メンテナンス要求指標データと前記ビークル使用量データとを関連付けて記憶しており、
前記ビークル使用量データ取得部は、最新の前記ビークル使用量データである最新ビークル使用量データを前記ビークル使用量データとして取得し、
前記メンテナンス要求指標データ更新部は、
前記ビークル使用量データ取得部が取得した前記最新ビークル使用量データから前記メンテナンス要求指標データ記憶部が記憶している前記ビークル使用量データを減算して、差分ビークル使用量データを算出し、
前記差分ビークル使用量データに基づいて、前記差分メンテナンス要求指標データを取得する、
請求項７に記載のメンテナンス要求指標データ出力装置。
【請求項９】
前記メンテナンス要求指標データ出力装置と通信可能な携帯端末が設けられており、
前記携帯端末は、
前記ビークル使用量データを記憶しており、
最新の前記ビークル使用量データである最新ビークル使用量データを取得し、
前記携帯端末が取得した前記最新ビークル使用量データから前記携帯端末が記憶している前記ビークル使用量データを減算して、差分ビークル使用量データを算出し、
前記差分ビークル使用量データを前記メンテナンス要求指標データ出力装置に送信し、
前記ビークル使用量データ取得部は、前記携帯端末から送信されてくる前記差分ビークル使用量データを前記ビークル使用量データとして取得し、
前記メンテナンス要求指標データ更新部は、前記ビークル使用量データ取得部が取得した前記差分ビークル使用量データに基づいて、前記差分メンテナンス要求指標データを取得する、
請求項７に記載のメンテナンス要求指標データ出力装置。
【請求項１０】
前記ビークル使用量データは、前記ビークルの積算走行距離、前記ビークルの動力源の積算回転数、前記ビークルの動力源の始動回数、前記ビークルの動力源の回転数の時間微分値が所定値を上回った回数、前記ビークルの動力源の回転数の時間微分値が所定値を下回った回数、タイヤの回転数、タイヤの回転数の時間微分値が所定値を上回った回数、タイヤの回転数の時間微分値が所定値を下回った回数、タイヤの回転数の時間積分値、ロータの回転数、ロータの回転数の時間微分値が所定値を上回った回数、ロータの回転数の時間微分値が所定値を下回った回数、ロータの回転数の時間積分値、スクリューの回転数、スクリューの回転数の時間微分値が所定値を上回った回数、スクリューの回転数の時間微分値が所定値を下回った回数、スクリューの回転数の時間積分値、タービンの回転数、タービンの回転数の時間微分値が所定値を上回った回数、タービンの回転数の時間微分値が所定値を下回った回数、タービンの回転数の時間積分値、プロペラの回転数、プロペラの回転数の時間微分値が所定値を上回った回数、プロペラの回転数の時間微分値が所定値を下回った回数、プロペラの回転数の時間積分値、前記ビークルのエンジンの水温又は油温が所定温度を上回った回数、前記ビークルのエンジンの水温又は油温が所定温度を下回った回数、前記ビークルのエンジンの水温又は油温の時間積分値、バッテリ電流、バッテリ電流の時間積分値、バッテリ電流の時間微分値が所定値を上回った回数、バッテリ電流の時間微分値が所定値を下回った回数、バッテリ電圧、バッテリ電流をバッテリ電圧で割った値の時間微分値が所定値を上回った回数、又は、バッテリ電流をバッテリ電圧で割った値の時間微分値が所定値を下回った回数を含んでいる、
請求項１ないし請求項９のいずれかに記載のメンテナンス要求指標データ出力装置。
【請求項１１】
（ａ）のメンテナンス要求指標データ記憶部を備えるメンテナンス要求指標データ出力装置において実行され、かつ、（ｂ）のビークル使用量データ取得ステップと（ｃ）のメンテナンス要求指標データ更新ステップと（ｄ）のメンテナンス要求指標データ出力ステップとを備えるメンテナンス要求指標データ出力方法。
（ａ）
前記メンテナンス要求指標データ記憶部は、ビークル特定データとメンテナンス要求指標データとを関連付けて記憶しており、
前記ビークル特定データは、ビークルを特定するためのデータであり、
前記メンテナンス要求指標データは、長さの次元指数、質量の次元指数、時間の次元指数、電流の次元指数、熱力学温度の次元指数、物質量の次元指数又は光度の次元指数が０である無次元の指標である。
（ｂ）
前記ビークル使用量データ取得ステップでは、前記ビークル特定データと、前記ビークル特定データにより特定される前記ビークルの使用量を示すビークル使用量データと、を取得し、
前記ビークル使用量データは、長さの次元指数、質量の次元指数、時間の次元指数、電流の次元指数、熱力学温度の次元指数、物質量の次元指数又は光度の次元指数の少なくとも１つが０ではない指標、及び／又は、長さの次元指数、質量の次元指数、時間の次元指数、電流の次元指数、熱力学温度の次元指数、物質量の次元指数及び光度の次元指数が０である回数を示す指標であり、前記ビークルが使用されることにより増加する。
（ｃ）
前記メンテナンス要求指標データ更新ステップでは、前記ビークル使用量データ取得ステップで取得した前記ビークル使用量データに基づいて、前記ビークル使用量データ取得ステップで取得した前記ビークル特定データにより特定される前記ビークルの前記メンテナンス要求指標データであって、前記メンテナンス要求指標データ記憶部が記憶している前記メンテナンス要求指標データを更新し、
前記メンテナンス要求指標データは、前記ビークル使用量データが増加することにより増加する。
（ｄ）
前記メンテナンス要求指標データ出力ステップは、前記メンテナンス要求指標データ記憶部が記憶している前記メンテナンス要求指標データを前記メンテナンス要求指標データ出力装置の外部に出力する。
【請求項１２】
前記メンテナンス要求指標データは、前記ビークルのメンテナンスに関するサービスと交換できる指標を示すデータであり、
前記メンテナンス要求指標データは、前記ビークルのユーザが料金を支払うことなく増加する指標のデータである、
請求項１１に記載のメンテナンス要求指標データ出力方法。
【請求項１３】
前記ビークルのメンテナンスに関するサービスは、第１製造者により提供され、
第２製造者は、前記ビークルの製造者であり、かつ、前記第１製造者と異なる製造者であり、
前記メンテナンス要求指標データ記憶部は、前記ビークル特定データと、前記ビークル特定データにより特定される前記ビークルの製造者を示すビークル製造者データと、前記メンテナンス要求指標データとを関連付けて記憶しており、
前記メンテナンス要求指標データ更新ステップでは、前記ビークル使用量データ取得ステップで取得した前記ビークル特定データにより特定される前記ビークルの前記ビークル製造者データが、前記第１製造者及び前記第２製造者のいずれを示す場合であっても、前記ビークル使用量データ取得ステップで取得した前記ビークル使用量データに基づいて、前記ビークル使用量データ取得ステップで取得した前記ビークル特定データにより特定される前記ビークルの前記メンテナンス要求指標データであって、前記メンテナンス要求指標データ記憶部が記憶している前記メンテナンス要求指標データを更新する、
請求項１２に記載のメンテナンス要求指標データ出力方法。
【請求項１４】
前記メンテナンス要求指標データ更新ステップでは、前記第１製造者が製造した前記ビークルの前記ビークル使用量データと前記第２製造者が製造した前記ビークルの前記ビークル使用量データとが等しい場合には、前記第１製造者が製造した前記ビークルに対して発生する前記メンテナンス要求指標データを前記第２製造者が製造した前記ビークルに対して発生する前記メンテナンス要求指標データより大きくする、
請求項１３に記載のメンテナンス要求指標データ出力方法。
【請求項１５】
前記ビークルのメンテナンスに関するサービスとは、前記ビークルの消耗品の購入、又は、前記ビークルの消耗品の交換である、
請求項１２ないし請求項１４のいずれかに記載のメンテナンス要求指標データ出力方法。
【請求項１６】
前記メンテナンス要求指標データ出力方法は、
前記ビークル特定データと、前記メンテナンス要求指標データが前記ビークルのメンテナンスに関するサービスと交換されたときの前記メンテナンス要求指標データの減少量を示す交換メンテナンス要求指標データを取得する交換メンテナンス要求指標データ取得ステップと、
メンテナンス要求指標データ交換ステップと、
を更に備えており、
前記メンテナンス要求指標データ交換ステップでは、前記交換メンテナンス要求指標データに基づいて、前記交換メンテナンス要求指標データ取得ステップで取得した前記ビークル特定データにより特定される前記ビークルの前記メンテナンス要求指標データであって、前記メンテナンス要求指標データ記憶部が記憶している前記メンテナンス要求指標データを更新する、
請求項１２ないし請求項１５のいずれかに記載のメンテナンス要求指標データ出力方法。
【請求項１７】
前記メンテナンス要求指標データ更新ステップでは、前記ビークル使用量データ取得ステップで取得した前記ビークル使用量データに基づいて、前記ビークル使用量データ取得ステップで取得した前記ビークル特定データにより特定される前記ビークルの差分メンテナンス要求指標データを取得し、
前記メンテナンス要求指標データ更新ステップでは、前記差分メンテナンス要求指標データに基づいて、前記ビークル使用量データ取得ステップで取得した前記ビークル特定データにより特定される前記ビークルの前記メンテナンス要求指標データであって、前記メンテナンス要求指標データ記憶部が記憶している前記メンテナンス要求指標データを更新し、
前記差分メンテナンス要求指標データは、前記ビークル使用量データによる前記メンテナンス要求指標データの増加量である、
請求項１６に記載のメンテナンス要求指標データ出力方法。
【請求項１８】
前記メンテナンス要求指標データ記憶部は、前記ビークル特定データと前記メンテナンス要求指標データと前記ビークル使用量データとを関連付けて記憶しており、
前記ビークル使用量データ取得ステップでは、最新の前記ビークル使用量データである最新ビークル使用量データを前記ビークル使用量データとして取得し、
前記メンテナンス要求指標データ更新ステップでは、
前記ビークル使用量データ取得ステップで取得した前記最新ビークル使用量データから前記メンテナンス要求指標データ記憶部が記憶している前記ビークル使用量データを減算して、差分ビークル使用量データを算出し、
前記差分ビークル使用量データに基づいて、前記差分メンテナンス要求指標データを取得する、
請求項１７に記載のメンテナンス要求指標データ出力方法。
【請求項１９】
前記メンテナンス要求指標データ出力装置と通信可能な携帯端末が設けられており、
前記携帯端末は、
前記ビークル使用量データを記憶しており、
最新の前記ビークル使用量データである最新ビークル使用量データを取得し、
前記携帯端末が取得した前記最新ビークル使用量データから前記携帯端末が記憶している前記ビークル使用量データを減算して、差分ビークル使用量データを算出し、
前記差分ビークル使用量データを前記メンテナンス要求指標データ出力装置に送信し、
前記ビークル使用量データ取得ステップでは、前記携帯端末から送信されてくる前記差分ビークル使用量データを前記ビークル使用量データとして取得し、
前記メンテナンス要求指標データ更新ステップでは、前記ビークル使用量データ取得ステップで取得した前記差分ビークル使用量データに基づいて、前記差分メンテナンス要求指標データを取得する、
請求項１７に記載のメンテナンス要求指標データ出力方法。
【請求項２０】
前記ビークル使用量データは、前記ビークルの積算走行距離、前記ビークルの動力源の積算回転数、前記ビークルの動力源の始動回数、前記ビークルの動力源の回転数の時間微分値が所定値を上回った回数、前記ビークルの動力源の回転数の時間微分値が所定値を下回った回数、タイヤの回転数、タイヤの回転数の時間微分値が所定値を上回った回数、タイヤの回転数の時間微分値が所定値を下回った回数、タイヤの回転数の時間積分値、ロータの回転数、ロータの回転数の時間微分値が所定値を上回った回数、ロータの回転数の時間微分値が所定値を下回った回数、ロータの回転数の時間積分値、スクリューの回転数、スクリューの回転数の時間微分値が所定値を上回った回数、スクリューの回転数の時間微分値が所定値を下回った回数、スクリューの回転数の時間積分値、タービンの回転数、タービンの回転数の時間微分値が所定値を上回った回数、タービンの回転数の時間微分値が所定値を下回った回数、タービンの回転数の時間積分値、プロペラの回転数、プロペラの回転数の時間微分値が所定値を上回った回数、プロペラの回転数の時間微分値が所定値を下回った回数、プロペラの回転数の時間積分値、前記ビークルのエンジンの水温又は油温が所定温度を上回った回数、前記ビークルのエンジンの水温又は油温が所定温度を下回った回数、前記ビークルのエンジンの水温又は油温の時間積分値、バッテリ電流、バッテリ電流の時間積分値、バッテリ電流の時間微分値が所定値を上回った回数、バッテリ電流の時間微分値が所定値を下回った回数、バッテリ電圧、バッテリ電流をバッテリ電圧で割った値の時間微分値が所定値を上回った回数、又は、バッテリ電流をバッテリ電圧で割った値の時間微分値が所定値を下回った回数を含んでいる、
請求項１６ないし請求項１９のいずれかに記載のメンテナンス要求指標データ出力方法。
【発明の詳細な説明】
【技術分野】
【０００１】
本発明は、ビークルのメンテナンスに関する状況をユーザに通知するメンテナンス要求指標データ出力装置及びメンテナンス要求指標データ出力方法に関する。
【背景技術】
【０００２】
特許文献１では、自動二輪車用のメンテナンス時期及びメンテナンス方法を通知するメンテナンス報知装置が提案されている。自動二輪車の使用状況において、自動二輪車が使用されていない期間（車両が停止している期間）が多く存在する。そこで、特許文献１に記載のメンテナンス報知装置は、車両が停止している停止期間、車両部品の使用開始から現在までの使用期間、車両の積算走行距離及びエンジンの駆動時間を管理項目として管理している。そして、メンテナンス報知装置は、管理項目に基づいて、メンテナンス時期に到達したこと及びメンテナンス方法を通知する。
【先行技術文献】
【特許文献】
【０００３】
【特許文献１】特開２０１７−１９４３９８号公報
【発明の概要】
【発明が解決しようとする課題】
【０００４】
特許文献１に記載のメンテナンス報知装置では、メンテナンス時期に到達したことの通知が行われることによって、ユーザが自動二輪車のメンテナンスに関する状況を知ることができる。そのため、ユーザは、メンテナンス時期に到達したことの通知が行われるまで、自動二輪車のメンテナンスに関する状況を知ることができない。一方、メンテナンス時期に到達したことの通知が行われる前にメンテナンスに関する状況をユーザが知りたいというニーズがある。
【０００５】
ところで、特許文献１の自動二輪車のメンテナンス報知装置は、多数の管理項目を管理する傾向がある。そのため、特許文献１に記載のメンテナンス報知装置では、メンテナンスに関する状況をユーザに通知する場合、例えば、多数の管理項目が可視化されるために、多数の管理項目にデータ処理が施される必要がある。その結果、メンテナンス報知装置のデータ処理の負荷が大きくなる。
【０００６】
そこで、本発明の目的は、メンテナンス要求指標データ出力装置のデータ処理の負荷の増大を抑制しつつ、メンテナンス時期であることの通知が行われる前にメンテナンスに関する状況をユーザに通知できるメンテナンス要求指標データ出力装置及びメンテナンス要求指標データ出力方法を提供することである。
【課題を解決するための手段】
【０００７】
特許文献１に記載のメンテナンス報知装置では、より精度よくメンテナンス時期に到達したことを通知するために、管理項目の数が増加傾向にある。管理項目の数が増加傾向にあると、メンテナンス報知装置のデータ処理の負荷も増加傾向になる。その結果、メンテナンス時期に到達したことの通知が行われる前にメンテナンスに関する状況をユーザに通知するためのデータ処理の負荷も増加傾向になる。
【０００８】
本願発明者は、メンテナンス報知装置のデータ処理の負荷を軽減することを検討するにあたり、メンテナンス時期に到達したことの通知に関するニーズについて検討した。その結果、本願発明者は、より精度よくメンテナンス時期に到達したことをユーザが知りたいというニーズの他に、メンテナンス時期に到達する前にメンテナンスに関する状況をユーザが知りたいというニーズが存在することに気が付いた。
【０００９】
本願発明者は、メンテナンス時期となる前にメンテナンスの状況を通知するためには、多数の管理項目の詳細を表示するよりも、メンテナンスの必要性をシンプルな指標で表現した方が、ユーザがメンテナンスの状況を理解し易いことに気が付いた。
【００１０】
本発明は、上述した課題を解決するために、以下の構成を採用する。
【００１１】
（１）のメンテナンス要求指標データ出力装置は、
（Ａ）のメンテナンス要求指標データ記憶部と（Ｂ）のメンテナンス要求指標データ出力部と（Ｃ）のビークル使用量データ取得部と（Ｄ）のメンテナンス要求指標データ更新部とを備えるメンテナンス要求指標データ出力装置。
（Ａ）
前記メンテナンス要求指標データ記憶部は、ビークル特定データとメンテナンス要求指標データとを関連付けて記憶しており、
前記ビークル特定データは、ビークルを特定するためのデータであり、
前記メンテナンス要求指標データは、長さの次元指数、質量の次元指数、時間の次元指数、電流の次元指数、熱力学温度の次元指数、物質量の次元指数又は光度の次元指数が０である無次元の指標である。
（Ｂ）
前記メンテナンス要求指標データ出力部は、前記メンテナンス要求指標データ記憶部が記憶している前記メンテナンス要求指標データを前記メンテナンス要求指標データ出力装置の外部に出力する。
（Ｃ）
前記ビークル使用量データ取得部は、前記ビークル特定データと、前記ビークル特定データにより特定される前記ビークルの使用量を示すビークル使用量データと、を取得し、
前記ビークル使用量データは、長さの次元指数、質量の次元指数、時間の次元指数、電流の次元指数、熱力学温度の次元指数、物質量の次元指数又は光度の次元指数の少なくとも１つが０ではない指標、及び／又は、長さの次元指数、質量の次元指数、時間の次元指数、電流の次元指数、熱力学温度の次元指数、物質量の次元指数及び光度の次元指数が０である回数を示す指標であり、前記ビークルが使用されることにより増加する。
（Ｄ）
前記メンテナンス要求指標データ更新部は、前記ビークル使用量データ取得部が取得した前記ビークル使用量データに基づいて、前記ビークル使用量データ取得部が取得した前記ビークル特定データにより特定される前記ビークルの前記メンテナンス要求指標データであって、前記メンテナンス要求指標データ記憶部が記憶している前記メンテナンス要求指標データを更新し、
前記メンテナンス要求指標データは、前記ビークル使用量データが増加することにより増加する。
【００１２】
（１）のメンテナンス要求指標データ出力装置によれば、メンテナンス要求指標データ出力装置のデータ処理の負荷の増大を抑制しつつ、メンテナンス時期であることの通知が行われる前にメンテナンスに関する状況をユーザに通知できる。より詳細には、メンテナンス要求指標データ更新部は、ビークル使用量データに基づいて、メンテナンス要求指標データを更新する。ビークル使用量データは、ビークルが使用されることにより増加する。メンテナンス要求指標データは、ビークルが使用されるにしたがって増加する。すなわち、メンテナンス要求指標データは、ビークル及びビークルの部品の劣化度を示している。従って、メンテナンス要求指標データは、ビークルのメンテナンスの必要性を示す指標として用いられることが可能である。そこで、メンテナンス要求指標データ出力部は、メンテナンス要求指標データをメンテナンス要求指標データ出力装置の外部に出力する。これにより、ユーザは、ビークルのメンテナンス時期であることの通知が行われる前にメンテナンスに関する状況を知ることができる。
【００１３】
更に、メンテナンス要求指標データは、ビークル使用量データを一つにまとめたシンプルな指標である。そのため、メンテナンス要求指標データの更新及び出力の際にメンテナンス要求指標データ出力装置にかかる負荷が小さい。以上より、（１）のメンテナンス要求指標データ出力装置によれば、メンテナンス要求指標データ出力装置のデータ処理の負荷の増大を抑制しつつ、メンテナンス時期であることの通知が行われる前にメンテナンスに関する状況をユーザに通知できる。
【００１４】
（２）のメンテナンス要求指標データ出力装置は、（１）のメンテナンス要求指標データ出力装置であって、
前記メンテナンス要求指標データは、前記ビークルのメンテナンスに関するサービスと交換できる指標を示すデータであり、
前記メンテナンス要求指標データは、前記ビークルのユーザが料金を支払うことなく増加する指標のデータである。
【００１５】
（２）のメンテナンス要求指標データ出力装置によれば、ユーザは、料金を支払うことなく、ビークルを使用することによりメンテナンス要求指標データを取得することができる。更に、ユーザは、このメンテナンス要求指標データをメンテナンスに関するサービスと交換することができる。よって、ビークルの使用が促されると共に、ビークルのメンテナンスも促される。
【００１６】
（３）のメンテナンス要求指標データ出力装置は、（２）のメンテナンス要求指標データ出力装置であって、
前記ビークルのメンテナンスに関するサービスは、第１製造者により提供され、
第２製造者は、前記ビークルの製造者であり、かつ、前記第１製造者と異なる製造者であり、
前記メンテナンス要求指標データ記憶部は、前記ビークル特定データと、前記ビークル特定データにより特定される前記ビークルの製造者を示すビークル製造者データと、前記メンテナンス要求指標データとを関連付けて記憶しており、
前記メンテナンス要求指標データ更新部は、前記ビークル使用量データ取得部が取得した前記ビークル特定データにより特定される前記ビークルの前記ビークル製造者データが、前記第１製造者及び前記第２製造者のいずれを示す場合であっても、前記ビークル使用量データ取得部が取得した前記ビークル使用量データに基づいて、前記ビークル使用量データ取得部が取得した前記ビークル特定データにより特定される前記ビークルの前記メンテナンス要求指標データであって、前記メンテナンス要求指標データ記憶部が記憶している前記メンテナンス要求指標データを更新する。
【００１７】
（３）のメンテナンス要求指標データ出力装置によれば、ビークルのメンテナンスに関するサービスは、第１製造者により提供される。ただし、ユーザは、ビークルの製造者が第１製造者又は第２製造者のいずれであってもメンテナンス要求指標データを取得することができる。これにより、第２製造者により製造されたビークルに関する情報のメンテナンス要求指標データ出力装置への登録が促進される。
【００１８】
（４）のメンテナンス要求指標データ出力装置は、（３）のメンテナンス要求指標データ出力装置であって、
前記メンテナンス要求指標データ更新部は、前記第１製造者が製造した前記ビークルの前記ビークル使用量データと前記第２製造者が製造した前記ビークルの前記ビークル使用量データとが等しい場合には、前記第１製造者が製造した前記ビークルに対して発生する前記メンテナンス要求指標データを前記第２製造者が製造した前記ビークルに対して発生する前記メンテナンス要求指標データより大きくする。
【００１９】
（４）のメンテナンス要求指標データ出力装置によれば、ユーザは、第１製造者が製造したビークルを使用する方が、第２製造者が製造したビークルを使用するよりもメンテナンス要求指標データを多く取得できる。これにより、第１製造者により製造されたビークルに関する情報のメンテナンス要求指標データ出力装置への登録が促進される。
【００２０】
（５）のメンテナンス要求指標データ出力装置は、（２）ないし（４）のいずれかのメンテナンス要求指標データ出力装置であって、
前記ビークルのメンテナンスに関するサービスとは、前記ビークルの消耗品の購入、又は、前記ビークルの消耗品の交換である。
【００２１】
（６）のメンテナンス要求指標データ出力装置は、（２）ないし（５）のいずれかのメンテナンス要求指標データ出力装置であって、
前記メンテナンス要求指標データ出力装置は、
前記ビークル特定データと、前記メンテナンス要求指標データが前記ビークルのメンテナンスに関するサービスと交換されたときの前記メンテナンス要求指標データの減少量を示す交換メンテナンス要求指標データを取得する交換メンテナンス要求指標データ取得部を、
更に備えており、
前記メンテナンス要求指標データ更新部は、前記交換メンテナンス要求指標データに基づいて、前記交換メンテナンス要求指標データ取得部が取得した前記ビークル特定データにより特定される前記ビークルの前記メンテナンス要求指標データであって、前記メンテナンス要求指標データ記憶部が記憶している前記メンテナンス要求指標データを更新する。
【００２２】
（６）のメンテナンス要求指標データ出力装置は、メンテナンス要求指標データがメンテナンスに関するサービスと交換された際に、メンテナンス要求指標データを更新することができる。
【００２３】
（７）のメンテナンス要求指標データ出力装置は、（１）ないし（６）のいずれかのメンテナンス要求指標データ出力装置であって、
前記メンテナンス要求指標データ更新部は、前記ビークル使用量データ取得部が取得した前記ビークル使用量データに基づいて、前記ビークル使用量データ取得部が取得した前記ビークル特定データにより特定される前記ビークルの差分メンテナンス要求指標データを取得し、
前記メンテナンス要求指標データ更新部は、前記差分メンテナンス要求指標データに基づいて、前記ビークル使用量データ取得部が取得した前記ビークル特定データにより特定される前記ビークルの前記メンテナンス要求指標データであって、前記メンテナンス要求指標データ記憶部が記憶している前記メンテナンス要求指標データを更新し、
前記差分メンテナンス要求指標データは、前記ビークル使用量データによる前記メンテナンス要求指標データの増加量である。
【００２４】
（８）のメンテナンス要求指標データ出力装置は、（７）のメンテナンス要求指標データ出力装置であって、
前記メンテナンス要求指標データ記憶部は、前記ビークル特定データと前記メンテナンス要求指標データと前記ビークル使用量データとを関連付けて記憶しており、
前記ビークル使用量データ取得部は、最新の前記ビークル使用量データである最新ビークル使用量データを前記ビークル使用量データとして取得し、
前記メンテナンス要求指標データ更新部は、
前記ビークル使用量データ取得部が取得した前記最新ビークル使用量データから前記メンテナンス要求指標データ記憶部が記憶している前記ビークル使用量データを減算して、差分ビークル使用量データを算出し、
前記差分ビークル使用量データに基づいて、前記差分メンテナンス要求指標データを取得する。
【００２５】
（９）のメンテナンス要求指標データ出力装置は、（７）のメンテナンス要求指標データ出力装置であって、
前記メンテナンス要求指標データ出力装置と通信可能な携帯端末が設けられており、
前記携帯端末は、
前記ビークル使用量データを記憶しており、
最新の前記ビークル使用量データである最新ビークル使用量データを取得し、
前記携帯端末が取得した前記最新ビークル使用量データから前記携帯端末が記憶している前記ビークル使用量データを減算して、差分ビークル使用量データを算出し、
前記差分ビークル使用量データを前記メンテナンス要求指標データ出力装置に送信し、
前記ビークル使用量データ取得部は、前記携帯端末から送信されてくる前記差分ビークル使用量データを前記ビークル使用量データとして取得し、
前記メンテナンス要求指標データ更新部は、前記ビークル使用量データ取得部が取得した前記差分ビークル使用量データに基づいて、前記差分メンテナンス要求指標データを取得する。
【００２６】
（１０）のメンテナンス要求指標データ出力装置は、（１）ないし（９）のいずれかのメンテナンス要求指標データ出力装置であって、
前記ビークル使用量データは、前記ビークルの積算走行距離、前記ビークルの動力源の積算回転数、前記ビークルの動力源の始動回数、前記ビークルの動力源の回転数の時間微分値が所定値を上回った回数、前記ビークルの動力源の回転数の時間微分値が所定値を下回った回数、タイヤの回転数、タイヤの回転数の時間微分値が所定値を上回った回数、タイヤの回転数の時間微分値が所定値を下回った回数、タイヤの回転数の時間積分値、ロータの回転数、ロータの回転数の時間微分値が所定値を上回った回数、ロータの回転数の時間微分値が所定値を下回った回数、ロータの回転数の時間積分値、スクリューの回転数、スクリューの回転数の時間微分値が所定値を上回った回数、スクリューの回転数の時間微分値が所定値を下回った回数、スクリューの回転数の時間積分値、タービンの回転数、タービンの回転数の時間微分値が所定値を上回った回数、タービンの回転数の時間微分値が所定値を下回った回数、タービンの回転数の時間積分値、プロペラの回転数、プロペラの回転数の時間微分値が所定値を上回った回数、プロペラの回転数の時間微分値が所定値を下回った回数、プロペラの回転数の時間積分値、前記ビークルのエンジンの水温又は油温が所定温度を上回った回数、前記ビークルのエンジンの水温又は油温が所定温度を下回った回数、前記ビークルのエンジンの水温又は油温の時間積分値、バッテリ電流、バッテリ電流の時間積分値、バッテリ電流の時間微分値が所定値を上回った回数、バッテリ電流の時間微分値が所定値を下回った回数、バッテリ電圧、バッテリ電流をバッテリ電圧で割った値の時間微分値が所定値を上回った回数、又は、バッテリ電流をバッテリ電圧で割った値の時間微分値が所定値を下回った回数を含んでいる。
【００２７】
（１０）のメンテナンス要求指標データ出力装置は、動力源（エンジン）、タイヤ、バッテリ等のメンテナンスに関する状況をユーザに通知することができる。
【００２８】
（１１）のメンテナンス要求指標データ出力方法は、
（ａ）のメンテナンス要求指標データ記憶部を備えるメンテナンス要求指標データ出力装置において実行され、かつ、（ｂ）のビークル使用量データ取得ステップと（ｃ）のメンテナンス要求指標データ更新ステップと（ｄ）のメンテナンス要求指標データ出力ステップとを備えるメンテナンス要求指標データ出力方法。
（ａ）
前記メンテナンス要求指標データ記憶部は、ビークル特定データとメンテナンス要求指標データとを関連付けて記憶しており、
前記ビークル特定データは、ビークルを特定するためのデータであり、
前記メンテナンス要求指標データは、長さの次元指数、質量の次元指数、時間の次元指数、電流の次元指数、熱力学温度の次元指数、物質量の次元指数又は光度の次元指数が０である無次元の指標である。
（ｂ）
前記ビークル使用量データ取得ステップでは、前記ビークル特定データと、前記ビークル特定データにより特定される前記ビークルの使用量を示すビークル使用量データと、を取得し、
前記ビークル使用量データは、長さの次元指数、質量の次元指数、時間の次元指数、電流の次元指数、熱力学温度の次元指数、物質量の次元指数又は光度の次元指数の少なくとも１つが０ではない指標、及び／又は、長さの次元指数、質量の次元指数、時間の次元指数、電流の次元指数、熱力学温度の次元指数、物質量の次元指数及び光度の次元指数が０である回数を示す指標であり、前記ビークルが使用されることにより増加する。
（ｃ）
前記メンテナンス要求指標データ更新ステップでは、前記ビークル使用量データ取得ステップで取得した前記ビークル使用量データに基づいて、前記ビークル使用量データ取得ステップで取得した前記ビークル特定データにより特定される前記ビークルの前記メンテナンス要求指標データであって、前記メンテナンス要求指標データ記憶部が記憶している前記メンテナンス要求指標データを更新し、
前記メンテナンス要求指標データは、前記ビークル使用量データが増加することにより増加する。
（ｄ）
前記メンテナンス要求指標データ出力ステップは、前記メンテナンス要求指標データ記憶部が記憶している前記メンテナンス要求指標データを前記メンテナンス要求指標データ出力装置の外部に出力する。
【００２９】
（１１）のメンテナンス要求指標データ出力方法によれば、メンテナンス要求指標データ出力装置のデータ処理の負荷の増大を抑制しつつ、メンテナンス時期であることの通知が行われる前にメンテナンスに関する状況をユーザに通知できる。より詳細には、メンテナンス要求指標データ更新ステップでは、ビークル使用量データに基づいて、メンテナンス要求指標データを更新する。ビークル使用量データは、ビークルが使用されることにより増加する。メンテナンス要求指標データは、ビークルが使用されるにしたがって増加する。すなわち、メンテナンス要求指標データは、ビークル及びビークルの部品の劣化度を示している。従って、メンテナンス要求指標データは、ビークルのメンテナンスの必要性を示す指標として用いられることが可能である。そこで、メンテナンス要求指標データ出力ステップでは、メンテナンス要求指標データをメンテナンス要求指標データ出力装置の外部に出力する。これにより、ユーザは、ビークルのメンテナンス時期であることの通知が行われる前にメンテナンスに関する状況を知ることができる。
【００３０】
更に、メンテナンス要求指標データは、ビークル使用量データを一つにまとめたシンプルな指標である。そのため、メンテナンス要求指標データの更新及び出力の際にメンテナンス要求指標データ出力装置にかかる負荷が小さい。以上より、（１１）のメンテナンス要求指標データ出力方法によれば、メンテナンス要求指標データ出力装置のデータ処理の負荷の増大を抑制しつつ、メンテナンス時期であることの通知が行われる前にメンテナンスに関する状況をユーザに通知できる。
【００３１】
（１２）のメンテナンス要求指標データ出力方法は、（１１）のメンテナンス要求指標データ出力方法であって、
前記メンテナンス要求指標データは、前記ビークルのメンテナンスに関するサービスと交換できる指標を示すデータであり、
前記メンテナンス要求指標データは、前記ビークルのユーザが料金を支払うことなく増加する指標のデータである。
【００３２】
（１２）のメンテナンス要求指標データ出力方法によれば、ユーザは、料金を支払うことなく、ビークルを使用することによりメンテナンス要求指標データを取得することができる。更に、ユーザは、このメンテナンス要求指標データをメンテナンスに関するサービスと交換することができる。よって、ビークルの使用が促されると共に、ビークルのメンテナンスも促される。
【００３３】
（１３）のメンテナンス要求指標データ出力方法は、（１２）のメンテナンス要求指標データ出力方法であって、
前記ビークルのメンテナンスに関するサービスは、第１製造者により提供され、
第２製造者は、前記ビークルの製造者であり、かつ、前記第１製造者と異なる製造者であり、
前記メンテナンス要求指標データ記憶部は、前記ビークル特定データと、前記ビークル特定データにより特定される前記ビークルの製造者を示すビークル製造者データと、前記メンテナンス要求指標データとを関連付けて記憶しており、
前記メンテナンス要求指標データ更新ステップでは、前記ビークル使用量データ取得ステップで取得した前記ビークル特定データにより特定される前記ビークルの前記ビークル製造者データが、前記第１製造者及び前記第２製造者のいずれを示す場合であっても、前記ビークル使用量データ取得ステップで取得した前記ビークル使用量データに基づいて、前記ビークル使用量データ取得ステップで取得した前記ビークル特定データにより特定される前記ビークルの前記メンテナンス要求指標データであって、前記メンテナンス要求指標データ記憶部が記憶している前記メンテナンス要求指標データを更新する。
【００３４】
（１３）のメンテナンス要求指標データ出力方法によれば、ビークルのメンテナンスに関するサービスは、第１製造者により提供される。ただし、ユーザは、ビークルの製造者が第１製造者又は第２製造者のいずれであってもメンテナンス要求指標データを取得することができる。これにより、第２製造者により製造されたビークルに関する情報のメンテナンス要求指標データ出力装置への登録が促進される。
【００３５】
（１４）のメンテナンス要求指標データ出力方法は、（１３）のメンテナンス要求指標データ出力方法であって、
前記メンテナンス要求指標データ更新ステップでは、前記第１製造者が製造した前記ビークルの前記ビークル使用量データと前記第２製造者が製造した前記ビークルの前記ビークル使用量データとが等しい場合には、前記第１製造者が製造した前記ビークルに対して発生する前記メンテナンス要求指標データを前記第２製造者が製造した前記ビークルに対して発生する前記メンテナンス要求指標データより大きくする。
【００３６】
（１４）のメンテナンス要求指標データ出力方法によれば、ユーザは、第１製造者が製造したビークルを使用する方が、第２製造者が製造したビークルを使用するよりもメンテナンス要求指標データを多く取得できる。これにより、第１製造者により製造されたビークルに関する情報のメンテナンス要求指標データ出力装置への登録が促進される。
【００３７】
（１５）のメンテナンス要求指標データ出力方法は、（１２）ないし（１４）のいずれかのメンテナンス要求指標データ出力方法であって、
前記ビークルのメンテナンスに関するサービスとは、前記ビークルの消耗品の購入、又は、前記ビークルの消耗品の交換である。
【００３８】
（１６）のメンテナンス要求指標データ出力方法は、（１２）ないし（１５）のいずれかのメンテナンス要求指標データ出力方法であって、
前記メンテナンス要求指標データ出力方法は、
前記ビークル特定データと、前記メンテナンス要求指標データが前記ビークルのメンテナンスに関するサービスと交換されたときの前記メンテナンス要求指標データの減少量を示す交換メンテナンス要求指標データを取得する交換メンテナンス要求指標データ取得ステップと、
メンテナンス要求指標データ交換ステップと、
を更に備えており、
前記メンテナンス要求指標データ交換ステップでは、前記交換メンテナンス要求指標データに基づいて、前記交換メンテナンス要求指標データ取得ステップで取得した前記ビークル特定データにより特定される前記ビークルの前記メンテナンス要求指標データであって、前記メンテナンス要求指標データ記憶部が記憶している前記メンテナンス要求指標データを更新する。
【００３９】
（１６）のメンテナンス要求指標データ出力方法は、メンテナンス要求指標データがメンテナンスに関するサービスと交換された際に、メンテナンス要求指標データを更新することができる。
【００４０】
（１７）のメンテナンス要求指標データ出力方法は、（１６）のメンテナンス要求指標データ出力方法であって、
前記メンテナンス要求指標データ更新ステップでは、前記ビークル使用量データ取得ステップで取得した前記ビークル使用量データに基づいて、前記ビークル使用量データ取得ステップで取得した前記ビークル特定データにより特定される前記ビークルの差分メンテナンス要求指標データを取得し、
前記メンテナンス要求指標データ更新ステップでは、前記差分メンテナンス要求指標データに基づいて、前記ビークル使用量データ取得ステップで取得した前記ビークル特定データにより特定される前記ビークルの前記メンテナンス要求指標データであって、前記メンテナンス要求指標データ記憶部が記憶している前記メンテナンス要求指標データを更新し、
前記差分メンテナンス要求指標データは、前記ビークル使用量データによる前記メンテナンス要求指標データの増加量である。
【００４１】
（１８）のメンテナンス要求指標データ出力方法は、（１７）のメンテナンス要求指標データ出力方法であって、
前記メンテナンス要求指標データ記憶部は、前記ビークル特定データと前記メンテナンス要求指標データと前記ビークル使用量データとを関連付けて記憶しており、
前記ビークル使用量データ取得ステップでは、最新の前記ビークル使用量データである最新ビークル使用量データを前記ビークル使用量データとして取得し、
前記メンテナンス要求指標データ更新ステップでは、
前記ビークル使用量データ取得ステップで取得した前記最新ビークル使用量データから前記メンテナンス要求指標データ記憶部が記憶している前記ビークル使用量データを減算して、差分ビークル使用量データを算出し、
前記差分ビークル使用量データに基づいて、前記差分メンテナンス要求指標データを取得する。
【００４２】
（１９）のメンテナンス要求指標データ出力方法は、（１７）のメンテナンス要求指標データ出力方法であって、
前記メンテナンス要求指標データ出力装置と通信可能な携帯端末が設けられており、
前記携帯端末は、
前記ビークル使用量データを記憶しており、
最新の前記ビークル使用量データである最新ビークル使用量データを取得し、
前記携帯端末が取得した前記最新ビークル使用量データから前記携帯端末が記憶している前記ビークル使用量データを減算して、差分ビークル使用量データを算出し、
前記差分ビークル使用量データを前記メンテナンス要求指標データ出力装置に送信し、
前記ビークル使用量データ取得ステップでは、前記携帯端末から送信されてくる前記差分ビークル使用量データを前記ビークル使用量データとして取得し、
前記メンテナンス要求指標データ更新ステップでは、前記ビークル使用量データ取得ステップで取得した前記差分ビークル使用量データに基づいて、前記差分メンテナンス要求指標データを取得する。
【００４３】
（２０）のメンテナンス要求指標データ出力方法は、（１６）ないし（１９）のいずれかのメンテナンス要求指標データ出力方法であって、
前記ビークル使用量データは、前記ビークルの積算走行距離、前記ビークルの動力源の積算回転数、前記ビークルの動力源の始動回数、前記ビークルの動力源の回転数の時間微分値が所定値を上回った回数、前記ビークルの動力源の回転数の時間微分値が所定値を下回った回数、タイヤの回転数、タイヤの回転数の時間微分値が所定値を上回った回数、タイヤの回転数の時間微分値が所定値を下回った回数、タイヤの回転数の時間積分値、ロータの回転数、ロータの回転数の時間微分値が所定値を上回った回数、ロータの回転数の時間微分値が所定値を下回った回数、ロータの回転数の時間積分値、スクリューの回転数、スクリューの回転数の時間微分値が所定値を上回った回数、スクリューの回転数の時間微分値が所定値を下回った回数、スクリューの回転数の時間積分値、タービンの回転数、タービンの回転数の時間微分値が所定値を上回った回数、タービンの回転数の時間微分値が所定値を下回った回数、タービンの回転数の時間積分値、プロペラの回転数、プロペラの回転数の時間微分値が所定値を上回った回数、プロペラの回転数の時間微分値が所定値を下回った回数、プロペラの回転数の時間積分値、前記ビークルのエンジンの水温又は油温が所定温度を上回った回数、前記ビークルのエンジンの水温又は油温が所定温度を下回った回数、前記ビークルのエンジンの水温又は油温の時間積分値、バッテリ電流、バッテリ電流の時間積分値、バッテリ電流の時間微分値が所定値を上回った回数、バッテリ電流の時間微分値が所定値を下回った回数、バッテリ電圧、バッテリ電流をバッテリ電圧で割った値の時間微分値が所定値を上回った回数、又は、バッテリ電流をバッテリ電圧で割った値の時間微分値が所定値を下回った回数を含んでいる。
【００４４】
（２０）のメンテナンス要求指標データ出力方法は、動力源（エンジン）、タイヤ、バッテリ等のメンテナンスに関する状況をユーザに通知することができる。
【００４５】
この発明の上述の目的及びその他の目的、特徴、局面及び利点は、添付図面に関連して行われる以下のこの発明の実施形態の詳細な説明から一層明らかとなろう。
【００４６】
本明細書にて使用される場合、用語「及び／又は（ａｎｄ／ｏｒ）」は１つの、又は複数の関連した列挙されたアイテム（ｉｔｅｍｓ）のあらゆる又は全ての組み合わせを含む。
【００４７】
本明細書中で使用される場合、用語「含む、備える（ｉｎｃｌｕｄｉｎｇ）」、「含む、備える（ｃｏｍｐｒｉｓｉｎｇ）」又は「有する（ｈａｖｉｎｇ）」及びその変形の使用は、記載された特徴、工程、操作、要素、成分及び／又はそれらの等価物の存在を特定するが、ステップ、動作、要素、コンポーネント、及び／又はそれらのグループのうちの１つまたは複数を含むことができる。
【００４８】
他に定義されない限り、本明細書で使用される全ての用語（技術用語及び科学用語を含む）は、本発明が属する当業者によって一般的に理解されるのと同じ意味を有する。
【００４９】
一般的に使用される辞書に定義された用語のような用語は、関連する技術及び本開示の文脈における意味と一致する意味を有すると解釈されるべきであり、本明細書で明示的に定義されていない限り、理想的または過度に形式的な意味で解釈されることはない。
【００５０】
本発明の説明においては、技術および工程の数が開示されていると理解される。これらの各々は個別の利益を有し、それぞれは、他の開示された技術の１つ以上、又は、場合によっては全てと共に使用することもできる。したがって、明確にするために、この説明は、不要に個々のステップの可能な組み合わせ全てを繰り返すことを控える。それにもかかわらず、明細書及び特許請求の範囲は、そのような組み合わせが全て本発明及び特許請求の範囲内にあることを理解して読まれるべきである。
【００５１】
以下の説明では、説明の目的で、本発明の完全な理解を提供するために多数の具体的な詳細を述べる。しかしながら、当業者には、これらの特定の詳細なしに本発明を実施できることが明らかである。本開示は、本発明の例示として考慮されるべきであり、本発明を以下の図面または説明によって示される特定の実施形態に限定することを意図するものではない。
【発明の効果】
【００５２】
本発明によれば、メンテナンス要求指標データ出力装置のデータ処理の負荷の増大を抑制しつつ、メンテナンス時期であることの通知が行われる前にメンテナンスに関する状況をユーザに通知できる。
【図面の簡単な説明】
【００５３】
【図１】図１は、サービス指標データ出力システム１，１ａの全体構成を示したブロック図である。
【図２】図２は、記憶部４４が記憶している最新パーマネントオープンキャビンビークル使用量データテーブルを示した図である。
【図３Ａ】図３Ａは、入出力部３２に表示される画像の一例である。
【図３Ｂ】図３Ｂは、サービス指標データ出力システム１におけるデータのやり取りを示したシーケンス図である。
【図４】図４は、入出力部３２に表示される画像の一例である。
【図５】図５は、サービス指標データ記憶部２４が記憶しているサービス指標データテーブルを示した図である。
【図６】図６は、換算テーブル記憶部２６が記憶している換算テーブルを示した図である。
【図７】図７は、入出力部３２に表示される画像の一例である。
【図８】図８は、入出力部３２に表示される画像の一例である。
【図９】図９は、入出力部３２に表示される画像の一例である。
【図１０】図１０は、携帯端末４のＣＰＵ３０の動作を示すフローチャートである。
【図１１】図１１は、パーマネントオープンキャビンビークル６のＥＣＵ４０の動作を示すフローチャートである。
【図１２】図１２は、サーバ２のＣＰＵ１０の動作を示すフローチャートである。
【図１３】図１３は、図１２に示すステップＳ２２のサブルーチンを示したフローチャートである。
【図１４】図１４は、携帯端末４のＣＰＵ３０の動作を示すフローチャートである。
【図１５】図１５は、サーバ２のＣＰＵ１０の動作を示すフローチャートである。
【図１６】図１６は、記憶部３４が記憶しているパーマネントオープンキャビンビークル使用量データテーブルを示した図である。
【図１７】図１７は、サービス指標データ記憶部２４が記憶しているサービス指標データテーブルである。
【図１８】図１８は、入出力部３２に表示される画像の一例である。
【図１９】図１９は、携帯端末４のＣＰＵ３０の動作を示すフローチャートである。
【図２０】図２０は、サーバ２のＣＰＵ１０の動作を示すフローチャートである。
【図２１】図２１は、図２０に示すステップＳ１２２のサブルーチンを示したフローチャートである。
【図２２】図２２は、サービス指標データ出力システム１ｂの全体構成を示したブロック図である。
【図２３】図２３は、最新パーマネントオープンキャビンビークル使用量データテーブルを示した図である。
【図２４】図２４は、携帯端末４のＣＰＵ３０の動作を示すフローチャートである。
【図２５】図２５は、パーマネントオープンキャビンビークル６のＥＣＵ４０の動作を示すフローチャートである。
【発明を実施するための形態】
【００５４】
（第１の実施形態）
以下に、第１の実施形態に係るサービス指標データ出力装置（メンテナンス要求指標データ出力装置）及びサービス指標データ出力方法（メンテナンス要求指標データ出力方法）について説明する。サービス指標データ出力方法は、サービス指標データ出力装置で実行される方法である。
【００５５】
［サービス指標データ出力システムの全体構成］
以下に、サービス指標データ出力システム１の全体構成について図面を参照しながら説明する。図１は、サービス指標データ出力システム１，１ａの全体構成を示したブロック図である。図２は、記憶部４４が記憶している最新パーマネントオープンキャビンビークル使用量データテーブルを示した図である。図３Ａは、入出力部３２に表示される画像の一例である。図３Ｂは、サービス指標データ出力システム１におけるデータのやり取りを示したシーケンス図である。図４は、入出力部３２に表示される画像の一例である。図５は、サービス指標データ記憶部２４が記憶しているサービス指標データテーブルを示した図である。図６は、換算テーブル記憶部２６が記憶している換算テーブルを示した図である。図７ないし図９は、入出力部３２に表示される画像の一例である。
【００５６】
サービス指標データ出力システム１は、図１に示すように、サーバ２（メンテナンス要求指標データ出力装置の一例）、携帯端末４及びパーマネントオープンキャビンビークル６を備えている。サービス指標データ出力システム１は、メンテナンス時期であることの通知が行われる前のタイミングで、パーマネントオープンキャビンビークル６のユーザにメンテナンスに関する状況を、携帯端末４を介してユーザに通知する。メンテナンス時期とは、パーマネントオープンキャビンビークル６のメンテナンスを受けることが好ましい時期を意味する。メンテナンス時期であるとは、例えば、オイルが劣化したためオイルを交換することが好ましい時期や、タイヤが摩耗したためタイヤを交換することが好ましい時期である。ユーザへの通知は、サーバ２が携帯端末４にサービス指標データＳＤを通知する。サービス指標データＳＤは、パーマネントオープンキャビンビークル６のメンテナンスの必要性を示すデータである。また、サービス指標データＳＤは、パーマネントオープンキャビンビークル６のメンテナンスに関するサービスと交換できる指標を示すデータでもある。メンテナンスに関するサービスとは、例えば、オイルやクーラント液、バッテリ、プラグ、エアクリーナー等の消耗品の購入、オイルやクーラント液、バッテリ、プラグ、エアクリーナー等の消耗品の交換をはじめとするパーマネントオープンキャビンビークル６のメンテナンス、パーマネントオープンキャビンビークル６の修理等である。なお、パーマネントオープンキャビンビークル６の動力源６６が電気モータである場合には、電気モータのブラシの交換も、パーマネントオープンキャビンビークル６のメンテナンスに含まれる。消耗品とは、パーマネントオープンキャビンビークル６の使用により劣化し、定期的に交換が必要な部品である。すなわち、ユーザは、サービス指標データＳＤを使って、消耗品の購入やパーマネントオープンキャビンビークル６のメンテナンスを受けることができる。このようなサービスは、「ＸＸＸ」により提供される。また、サービス指標データ出力システム１も、「ＸＸＸ」により運営される。「ＸＸＸ」は、パーマネントオープンキャビンビークル６の製造者である。ただし、サービスの提供者である「パーマネントオープンキャビンビークル６の製造者」には、パーマネントオープンキャビンビークル６の製造者そのものの他に、パーマネントオープンキャビンビークル６の製造者の製品を販売する販売代理店又は小売店、及び、パーマネントオープンキャビンビークル６の製造者と資本関係を有する子会社・関連会社を含む。また、サービス指標データ出力システム１の運営者である「パーマネントオープンキャビンビークル６の製造者」には、パーマネントオープンキャビンビークル６の製造者そのものの他に、パーマネントオープンキャビンビークル６の製造者と資本関係を有する子会社・関連会社、及び、パーマネントオープンキャビンビークル６によりサービス指標データ出力システム１の運営を委託された業者を含む。
【００５７】
パーマネントオープンキャビンビークル６は、固定的な屋根が運転席に設けられていないビークルである。従って、パーマネントオープンキャビンビークル６は、着脱不可能な屋根が運転席に設けられたビークルを含まない。屋根とは、運転席の上方、前方、後方、左方及び右方を覆う部材である。そのため、屋根は、例えば、フロントウインドウ、リアウインドウ及びサイドウインドウを含む。従って、屋根は、例えば、運転席の上方のみを覆い、かつ、運転席の前方、後方、左方又は右方を覆わない部材を含まない。また、屋根は、例えば、運転席の上方を覆い、運転席の前方、後方、左方又は右方の少なくともいずれか１つを覆わない部材を含まない。従って、パーマネントオープンキャビンビークル６は、運転席の上方のみを覆い、かつ、運転席の前方、後方、左方又は右方を覆わない部材を備えていてもよいし、運転席の上方を覆い、運転席の前方、後方、左方又は右方の少なくともいずれか１つを覆わない部材を備えていてもよい。また、パーマネントオープンキャビンビークル６は、屋根が運転席から取り外されると使用できなくなるビークルも含まない。すなわち、パーマネントオープンキャビンビークル６は、屋根が運転席から取り外されることを想定していないビークルを含まない。
【００５８】
パーマネントオープンキャビンビークル６は、上記条件を満たすビークルであればよく、例えば、自動二輪車、自動三輪車、トライク、ＡＴＶ（Ａｌｌ  Ｔｅｒｒａｉｎ  Ｖｅｈｉｃｌｅ）、ＲＯＶ（Ｒｅｃｒｅａｔｉｏｎａｌ  Ｏｆｆ−Ｈｉｇｈｗａｙ  Ｖｅｈｉｃｌｅ）、ボート、セーリングヨット、モーターヨット、水上バイク、スノーモビル、電動アシスト付き自転車、自転車、ゴルフカー、ランドカー、レーシングカート、ゴーカート、芝刈り機、除雪機、耕運機、稲刈機、ヘリコプター、小型飛行機等である。このように、パーマネントオープンキャビンビークル６は、動力源が発生する動力のみで走行するビークルのみならず、動力源が発生する動力及び人力で走行するビークル、動力源が発生する動力及び風力で走行するビークル、人力のみで走行するビークル、及び、風力のみで走行するビークルを含んでいる。自動三輪車は、左方又は右方に旋回するときに、自動三輪車の車体フレームが左方又は右方に傾斜する車両、及び、左方又は右方に旋回するときに、自動三輪車の車体フレームが左方又は右方に傾斜しない車両を含む。また、パーマネントオープンキャビンビークル６は、公道を走行できる自動四輪車（普通自動車、軽自動車）を含まない。自動四輪車は、四つ以上の車輪を有する車両も含む。本実施形態では、パーマネントオープンキャビンビークル６は、自動二輪車である。
【００５９】
パーマネントオープンキャビンビークル６は、車体フレーム６０、前輪６２、後輪６４、動力源６６及び操舵機構６８を備えている。車体フレーム６０は、パーマネントオープンキャビンビークル６が左旋回するときに左方に傾斜する。車体フレーム６０は、パーマネントオープンキャビンビークル６が右旋回するときに右方に傾斜する。
【００６０】
操舵機構６８は、車体フレーム６０の前端部に支持されている。操舵機構６８は、ライダーの操作により前輪６２を操舵する。操舵機構６８は、ハンドル、ステアリングシャフト及びフロントフォークを含んでいる。ただし、ハンドル、ステアリングシャフト及びフロントフォークの構造は、一般的なハンドル、ステアリングシャフト及びフロントフォークの構造と同じであるので説明を省略する。
【００６１】
前輪６２は、パーマネントオープンキャビンビークル６の操舵輪である。前輪６２は、パーマネントオープンキャビンビークル６の前部に配置されている。前輪６２は、操舵機構６８を介して車体フレーム６０に支持されている。また、ライダーは、操舵機構６８のハンドルを操作することにより、前輪６２を操舵することができる。
【００６２】
後輪６４は、パーマネントオープンキャビンビークル６の駆動輪である。後輪６４は、パーマネントオープンキャビンビークル６の後部に配置されている。後輪６４は、スイングアームを介して車体フレーム６０に支持されている。後輪６４は、後述する動力源６６の駆動力により回転させられる。
【００６３】
動力源６６は、後輪６４を回転させる駆動力を発生する。動力源６６は、エンジン、電気モータ等である。本実施形態では、動力源６６は、エンジンである。動力源６６は、車体フレーム６０に支持されている。動力源６６が発生した駆動力は、変速機等の伝達機構を介して後輪６４に伝達される。これにより、後輪６４は、動力源６６が発生した駆動力により回転させられる。
【００６４】
また、パーマネントオープンキャビンビークル６は、ＥＣＵ（Ｅｌｅｃｔｒｉｃ  Ｃｏｎｔｒｏｌ  Ｕｎｉｔ）４０、ＢＴ（Ｂｌｕｅｔｏｏｔｈ（登録商標））通信部４２、記憶部４４及びセンサ群４６を更に備えている。
【００６５】
ＥＣＵ４０は、ＢＴ通信部４２、記憶部４４及びセンサ群４６の動作を制御する。ＥＣＵ４０は、ＩＣ（Ｉｎｔｅｇｒａｔｅｄ  Ｃｉｒｃｕｉｔ）、電子部品、回路基板等の組み合わせにより構成される。
【００６６】
ＢＴ通信部４２は、ＢＴ通信部３６（後述）と近距離無線通信を行う。本実施形態では、近距離無線通信の規格は、Ｂｌｕｅｔｏｏｔｈ（登録商標）である。ただし、近距離無線通信の規格は、Ｂｌｕｅｔｏｏｔｈ（登録商標）に限らない。
【００６７】
記憶部４４は、ＥＣＵ４０が実行するプログラムを記憶している。記憶部４４は、例えば、不揮発性メモリである。センサ群４６は、パーマネントオープンキャビンビークル６の各部の状態を検知する複数のセンサである。
【００６８】
以下に、パーマネントオープンキャビンビークル６の各構成の詳細について説明する。記憶部４４は、図２に示す最新パーマネントオープンキャビンビークル使用量データテーブルを記憶している。最新パーマネントオープンキャビンビークル使用量データテーブルは、最新パーマネントオープンキャビンビークル使用量データＮＵＤ（最新ビークル使用量データ）を含んでいる。最新パーマネントオープンキャビンビークル使用量データＮＵＤは、最新のパーマネントオープンキャビンビークル使用量データＵＤ（ビークル使用量データ）である。パーマネントオープンキャビンビークル使用量データＵＤは、パーマネントオープンキャビンビークル６の使用量を示している。従って、パーマネントオープンキャビンビークル使用量データＵＤは、パーマネントオープンキャビンビークル６が使用されることにより増加する。パーマネントオープンキャビンビークル使用量データＵＤは、パーマネントオープンキャビンビークル６が使用されるにしたがって連続的に増加してもよいし、パーマネントオープンキャビンビークル６が使用されるにしたがって不連続に増加してもよい。パーマネントオープンキャビンビークル使用量データＵＤは、長さの次元指数、質量の次元指数、時間の次元指数、電流の次元指数、熱力学温度の次元指数、物質量の次元指数又は光度の次元指数の少なくとも１つが０ではない指標、及び／又は、長さの次元指数、質量の次元指数、時間の次元指数、電流の次元指数、熱力学温度の次元指数、物質量の次元指数及び光度の次元指数が０である回数を示す指標である。本実施形態では、パーマネントオープンキャビンビークル使用量データＵＤは、パーマネントオープンキャビンビークル６の積算走行距離、動力源６６の積算回転数（以下、動力源積算回転数）、動力源６６の始動回数（以下、動力源始動回数）を含んでいる。パーマネントオープンキャビンビークル６の積算走行距離とは、パーマネントオープンキャビンビークル６が製造されてから現在までの総走行距離である。走行距離とは、陸上を走行する距離以外に、水上を航行する距離及び空中を飛行する距離を含む概念である。また、走行距離とは、パーマネントオープンキャビンビークル６が自らの動力で走行・航行・飛行した距離を意味し、パーマネントオープンキャビンビークル６が他の輸送機により運ばれた距離を意味しない。動力源積算回転数とは、パーマネントオープンキャビンビークル６が製造されてから現在までの動力源６６の総回転数である。動力源始動回数とは、パーマネントオープンキャビンビークル６が製造されてから現在までの動力源６６の総始動回数である。
【００６９】
センサ群４６は、ＥＣＵ４０が最新パーマネントオープンキャビンビークル使用量データＮＵＤを取得するために、パーマネントオープンキャビンビークル６の各部の状態を検知する。センサ群４６は、例えば、後輪回転センサ、動力源回転センサ、動力源始動センサを含んでいる。
【００７０】
後輪回転センサは、後輪６４の回転を検知するセンサである。ＥＣＵ４０は、後輪回転センサから出力される信号に基づいて、後輪６４の積算回転数をカウントする。これにより、ＥＣＵ４０は、後輪６４の積算回転数及び後輪６４の直径に基づいて、パーマネントオープンキャビンビークル６の積算走行距離を算出することができる。ＥＣＵ４０は、パーマネントオープンキャビンビークル６の積算走行距離を図２に示す最新パーマネントオープンキャビンビークル使用量データテーブルに記録する。
【００７１】
動力源回転センサは、動力源６６（エンジン）のクランクシャフトの回転を検知するセンサである。ＥＣＵ４０は、駆動源回転センサから出力される信号に基づいて、動力源６６（エンジン）の積算回転数（動力源積算回転数）をカウントする。ＥＣＵ４０は、動力源積算回転数を図２に示す最新パーマネントオープンキャビンビークル使用量データテーブルに記録する。
【００７２】
動力源始動センサは、動力源６６の始動を検知するセンサである。ＥＣＵ４０は、動力源始動センサから出力される信号に基づいて、パーマネントオープンキャビンビークル６の動力源６６の始動回数（以下、動力源始動回数）をカウントする。ＥＣＵ４０は、動力源始動回数を図２に示す最新パーマネントオープンキャビンビークル使用量データテーブルに記録する。
【００７３】
携帯端末４は、例えば、ユーザが所有するスマートフォンである。携帯端末４は、サーバ２及びパーマネントオープンキャビンビークル６と通信可能である。携帯端末４は、図１に示すように、ＣＰＵ（Ｃｅｎｔｒａｌ  Ｐｒｏｃｅｓｓｏｒ  Ｕｎｉｔ）３０、入出力部３２、記憶部３４、ＢＴ通信部３６及び通信部３８を備えている。
【００７４】
ＣＰＵ３０は、入出力部３２、記憶部３４、ＢＴ通信部３６及び通信部３８の動作を制御する。記憶部３４は、ＣＰＵ３０が実行するプログラムを記憶している。記憶部３４は、例えば、不揮発性メモリである。
【００７５】
入出力部３２は、ユーザからの入力を受け付ける入力インターフェースであると共に、ユーザに情報を表示する表示装置である。入出力部３２は、例えば、タッチパネル付き表示装置である。従って、ユーザは、入出力部３２を指で操作することにより、携帯端末４を操作することができる。また、携帯端末４は、入出力部３２に画像を表示させることにより、ユーザに情報を提示することができる。表示装置は、液晶ディスプレイであってもよいし、有機ＥＬディスプレイであってもよい。
【００７６】
ＢＴ通信部３６は、ＢＴ通信部４２と近距離無線通信を行う。通信部３８は、インターネットを介してサーバ２と通信を行う。
【００７７】
以下に、携帯端末４の各構成の詳細について説明する。入出力部３２は、図３Ａに示す最新パーマネントオープンキャビンビークル使用量データ取得画像を表示する。図３Ａに示す画像は、最新パーマネントオープンキャビンビークル使用量データＮＵＤを取得するか否かをユーザに問い合わせるための画像である。図３Ａに示す画像には、「スタート」ボタンが設けられている。「スタート」ボタンは、携帯端末４が最新パーマネントオープンキャビンビークル使用量データＮＵＤの取得を開始することを示すボタンである。ユーザがスタートボタンにタッチすると、ＢＴ通信部３６（図１参照）は、図３Ｂに示すように、パーマネントオープンキャビンビークル使用量データ要求ＲＱをパーマネントオープンキャビンビークル６に送信する。パーマネントオープンキャビンビークル使用量データ要求ＲＱは、携帯端末４が最新パーマネントオープンキャビンビークル使用量データＮＵＤをパーマネントオープンキャビンビークル６に要求するためのデータである。
【００７８】
ＢＴ通信部４２（図１参照）は、図３Ｂに示すように、携帯端末４から送信されてくるパーマネントオープンキャビンビークル使用量データ要求ＲＱを受信する。更に、ＢＴ通信部４２（図１参照）は、図３Ｂに示すように、最新パーマネントオープンキャビンビークル使用量データＮＵＤ（図２参照）を携帯端末４に送信する。
【００７９】
ＢＴ通信部３６（図１参照）は、図３Ｂに示すように、パーマネントオープンキャビンビークル６から送信されてくる最新パーマネントオープンキャビンビークル使用量データＮＵＤを受信する。入出力部３２（図１参照）は、図４に示す最新パーマネントオープンキャビンビークル特定データ送信画像を表示する。図４に示す最新パーマネントオープンキャビンビークル特定データ送信画像は、パーマネントオープンキャビンビークル特定データＩＤ（ビークル特定データ）及び最新パーマネントオープンキャビンビークル使用量データＮＵＤを携帯端末４がサーバ２に送信するか否かをユーザに問い合わせるための画像である。図４に示す最新パーマネントオープンキャビンビークル特定データ送信画像には、パーマネントオープンキャビンビークル６のパーマネントオープンキャビンビークル特定データＩＤをユーザが入力するためのボックスが設けられている。パーマネントオープンキャビンビークル特定データＩＤは、サーバ２がパーマネントオープンキャビンビークル６を特定するためのデータである。パーマネントオープンキャビンビークル特定データＩＤは、例えば、パーマネントオープンキャビンビークル６に付与されたＩＤである。パーマネントオープンキャビンビークル特定データＩＤは、例えば、ユーザがパーマネントオープンキャビンビークル６をサーバ２に登録すると、サーバ２により付与される文字列である。また、パーマネントオープンキャビンビークル特定データＩＤは、ユーザがパーマネントオープンキャビンビークル６をサーバ２に登録するときに、ユーザにより決定される文字列であってもよい。
【００８０】
更に、図４に示す最新パーマネントオープンキャビンビークル特定データ送信画像は、最新パーマネントオープンキャビンビークル使用量データＮＵＤを含んでいる。また、図４に示す最新パーマネントオープンキャビンビークル特定データ送信画像には、「送信」ボタンが設けられている。「送信」ボタンは、携帯端末４がパーマネントオープンキャビンビークル特定データＩＤ及び最新パーマネントオープンキャビンビークル使用量データＮＵＤの送信を開始することを示すボタンである。
【００８１】
ユーザは、図４に示す最新パーマネントオープンキャビンビークル特定データ送信画像において、パーマネントオープンキャビンビークル６のパーマネントオープンキャビンビークル特定データＩＤを入力する（図３Ｂ参照）。ユーザは、「送信」ボタンにタッチする。通信部３８は、図３Ｂに示すように、パーマネントオープンキャビンビークル特定データＩＤ及び最新パーマネントオープンキャビンビークル使用量データＮＵＤをサーバ２に送信する。
【００８２】
サーバ２は、サービス指標データ出力システム１のサービスを提供するコンピュータである。サーバ２は、図１に示すように、ＣＰＵ１０、通信部１２及び記憶部１４を備えている。
【００８３】
ＣＰＵ１０は、通信部１２及び記憶部１４の動作を制御する。通信部１２は、インターネットを介して携帯端末４と通信を行う。記憶部１４は、ＣＰＵ１０が実行するプログラムを記憶している。記憶部１４は、例えば、不揮発性メモリである。
【００８４】
以下に、サーバ２の各構成の詳細について説明する。記憶部１４は、サービス指標データ記憶部２４（メンテナンス要求指標データ記憶部）及び換算テーブル記憶部２６を含んでいる。サービス指標データ記憶部２４は、パーマネントオープンキャビンビークル特定データＩＤとパーマネントオープンキャビンビークル製造者データＰＤとサービス指標データＳＤとパーマネントオープンキャビンビークル使用量データＵＤとを関連付けて記憶している。本実施形態では、サービス指標データ記憶部２４は、図５に示すサービス指標データテーブルを記憶している。サービス指標データテーブルは、パーマネントオープンキャビンビークル特定データＩＤと、パーマネントオープンキャビンビークル製造者データＰＤと、サービス指標データＳＤと、パーマネントオープンキャビンビークル使用量データＵＤ（積算走行距離、動力源積算回転数及び動力源始動回数）と、を関連付けている。パーマネントオープンキャビンビークル製造者データＰＤは、パーマネントオープンキャビンビークル特定データＩＤにより特定されるパーマネントオープンキャビンビークル６の製造者を示すデータである。本実施形態では、パーマネントオープンキャビンビークル製造者データＰＤには、「ＸＸＸ」、「ＹＹＹ」及び「ＺＺＺ」が存在する。サービス指標データＳＤは、パーマネントオープンキャビンビークル６のメンテナンスの必要性を示すデータである。サービス指標データＳＤは、パーマネントオープンキャビンビークル６のメンテナンスの必要性が高くなるにしたがって増加する。サービス指標データＳＤは、長さの次元指数、質量の次元指数、時間の次元指数、電流の次元指数、熱力学温度の次元指数、物質量の次元指数又は光度の次元指数が０である無次元の指標である。サービス指標データＳＤは、最新パーマネントオープンキャビンビークル使用量データＮＵＤが増加することにより増加する。すなわち、サービス指標データＳＤは、パーマネントオープンキャビンビークル６の使用に伴って増加する。
【００８５】
後述するように、サービス指標データＳＤは、パーマネントオープンキャビンビークル６のメンテナンスに関するサービスと交換することができる指標を示すデータである。ただし、サービス指標データＳＤは、パーマネントオープンキャビンビークル６のユーザが料金を支払うことなく、最新パーマネントオープンキャビンビークル使用量データＮＵＤが増加することにより増加する指標のデータである。ユーザがパーマネントオープンキャビンビークル６を使用すれば、パーマネントオープンキャビンビークル６のユーザが料金を支払わなくても、サービス指標データＳＤが増加する。なお、ユーザが料金を支払うことにより増加する指標データとしては、例えば、ユーザが物品又はサービスを購入する料金を支払った際に、料金に対する一定の割合で増加するポイントが存在する。サービス指標データＳＤは、このようなポイントと同様に、ユーザが物品又はサービスを購入する料金を支払った際に、料金に対する一定の割合で増加してもよい。最新パーマネントオープンキャビンビークル使用量データＮＵＤが増加することによりサービス指標データＳＤが増加する場合に、パーマネントオープンキャビンビークル６のユーザが料金を支払っていなければよい。
【００８６】
なお、図５に示すパーマネントオープンキャビンビークル使用量データＵＤは、最新パーマネントオープンキャビンビークル使用量データＮＵＤが携帯端末４からサーバ２に送信される度に、最新パーマネントオープンキャビンビークル使用量データＮＵＤに更新される。従って、図５に示すパーマネントオープンキャビンビークル使用量データＵＤは、図２に示す最新パーマネントオープンキャビンビークル使用量データＮＵＤとは常に一致しない。パーマネントオープンキャビンビークル使用量データＵＤが更新された直後では、パーマネントオープンキャビンビークル使用量データＵＤは、最新パーマネントオープンキャビンビークル使用量データＮＵＤと一致する。一方、パーマネントオープンキャビンビークル使用量データＵＤが更新された後にパーマネントオープンキャビンビークル６が使用されると、パーマネントオープンキャビンビークル使用量データＵＤは、最新パーマネントオープンキャビンビークル使用量データＮＵＤと一致しない。
【００８７】
換算テーブル記憶部２６は、図６に示す換算テーブルを記憶している。換算テーブルは、第１レートＲＴ１及び第２レートＲＴ２を含んでいる。第１レートＲＴ１は、パーマネントオープンキャビンビークル製造者データＰＤが「ＸＸＸ」（第１製造者）である場合におけるサービス指標データＳＤとパーマネントオープンキャビンビークル使用量データＵＤとの比である。第２レートＲＴ２は、パーマネントオープンキャビンビークル製造者データＰＤが「ＸＸＸ」以外（すなわち、「ＹＹＹ」又は「ＺＺＺ」（第２製造者））である場合におけるサービス指標データＳＤとパーマネントオープンキャビンビークル使用量データＵＤとの比である。本実施形態では、第１レートＲＴ１及び第２レートＲＴ２は、サービス指標データＳＤをパーマネントオープンキャビンビークル使用量データＵＤで割って得られる値である。ただし、第１レートＲＴ１は、第２レートＲＴ２より大きくなるように設定されている。第１レートＲＴ１では、例えば、パーマネントオープンキャビンビークル６が１ｋｍだけ走行すると、サービス指標データＳＤが１だけ増加する。また、パーマネントオープンキャビンビークル６の動力源６６が１００００回転すると、サービス指標データＳＤが１だけ増加する。また、パーマネントオープンキャビンビークル６の動力源６６が１回始動されると、サービス指標データＳＤが１だけ増加する。第２レートＲＴ２では、例えば、パーマネントオープンキャビンビークル６が１ｋｍだけ走行すると、サービス指標データＳＤが０．５だけ増加する。また、パーマネントオープンキャビンビークル６の動力源６６が１００００回転すると、サービス指標データＳＤが０．５だけ増加する。また、パーマネントオープンキャビンビークル６の動力源６６が１回始動されると、サービス指標データＳＤが０．５だけ増加する。このように、「ＸＸＸ」が製造したパーマネントオープンキャビンビークル６のパーマネントオープンキャビンビークル使用量データＵＤと「ＸＸＸ」以外（すなわち、「ＹＹＹ」又は「ＺＺＺ」）が製造したパーマネントオープンキャビンビークル６のパーマネントオープンキャビンビークル使用量データＵＤとが等しい場合には、「ＸＸＸ」が製造したパーマネントオープンキャビンビークル６に対して発生するサービス指標データＳＤが、「ＸＸＸ」以外（すなわち、「ＹＹＹ」又は「ＺＺＺ」）が製造したパーマネントオープンキャビンビークル６に対して発生するサービス指標データＳＤより大きい。なお、第１レートＲＴ１及び第２レートＲＴ２の値は、一例であり、上記数値に限らない。
【００８８】
通信部１２は、パーマネントオープンキャビンビークル使用量データ取得部１８（ビークル使用量データ取得部）を含んでいる。パーマネントオープンキャビンビークル使用量データ取得部１８は、パーマネントオープンキャビンビークル特定データＩＤと、パーマネントオープンキャビンビークル特定データＩＤにより特定されるパーマネントオープンキャビンビークル６の使用量を示す最新パーマネントオープンキャビンビークル使用量データＮＵＤ（ビークル使用量データの一例）と、を取得する。具体的には、パーマネントオープンキャビンビークル使用量データ取得部１８は、図３Ｂに示すように、携帯端末４から送信されてくるパーマネントオープンキャビンビークル特定データＩＤ及び最新パーマネントオープンキャビンビークル使用量データＮＵＤを受信する。
【００８９】
ＣＰＵ１０は、サービス指標データ更新部１６（メンテナンス要求指標データ更新部）を含んでいる。サービス指標データ更新部１６は、以下の２つのステップにより、最新パーマネントオープンキャビンビークル使用量データＮＵＤに基づいて、サービス指標データ記憶部２４が記憶しているサービス指標データＳＤを更新する。差分サービス指標データＤＳＤ（差分メンテナンス要求指標データ）は、最新パーマネントオープンキャビンビークル使用量データＮＵＤによるサービス指標データＳＤの増加量である。
【００９０】
第１ステップ：サービス指標データ更新部１６は、パーマネントオープンキャビンビークル使用量データ取得部１８が取得した最新パーマネントオープンキャビンビークル使用量データＮＵＤに基づいて、パーマネントオープンキャビンビークル使用量データ取得部１８が取得したパーマネントオープンキャビンビークル特定データＩＤにより特定されるパーマネントオープンキャビンビークル６の差分サービス指標データＤＳＤを取得する。
第２ステップ：サービス指標データ更新部１６は、差分サービス指標データＤＳＤに基づいて、パーマネントオープンキャビンビークル使用量データ取得部１８が取得したパーマネントオープンキャビンビークル特定データＩＤにより特定されるパーマネントオープンキャビンビークル６のサービス指標データＳＤであって、サービス指標データ記憶部２４が記憶しているサービス指標データＳＤを更新する。
【００９１】
以下に、第１ステップ及び第２ステップについて具体的に説明する。サービス指標データ更新部１６は、図５に示すサービス指標データテーブルからパーマネントオープンキャビンビークル６のパーマネントオープンキャビンビークル特定データＩＤに対応するパーマネントオープンキャビンビークル使用量データＵＤを取得する。
【００９２】
サービス指標データ更新部１６は、図３Ｂに示すように、差分パーマネントオープンキャビンビークル使用量データＤＵＤ（差分ビークル使用量データ）を取得する。差分パーマネントオープンキャビンビークル使用量データＤＵＤは、最新パーマネントオープンキャビンビークル使用量データＮＵＤとパーマネントオープンキャビンビークル使用量データＵＤとの差を示すデータである。そこで、サービス指標データ更新部１６は、パーマネントオープンキャビンビークル使用量データ取得部１８が取得した最新パーマネントオープンキャビンビークル使用量データＮＵＤからサービス指標データ記憶部２４が記憶しているパーマネントオープンキャビンビークル使用量データＵＤを減算して、差分パーマネントオープンキャビンビークル使用量データＤＵＤを算出する。
【００９３】
サービス指標データ更新部１６は、図５に示すサービス指標データテーブルからパーマネントオープンキャビンビークル６のパーマネントオープンキャビンビークル特定データＩＤに対応するパーマネントオープンキャビンビークル製造者データＰＤを取得する。
【００９４】
サービス指標データ更新部１６は、図３Ｂに示すように、差分パーマネントオープンキャビンビークル使用量データＤＵＤ、パーマネントオープンキャビンビークル製造者データＰＤ及び図６に示す換算テーブルに基づいて、差分サービス指標データＤＳＤを取得する。差分サービス指標データＤＳＤは、差分パーマネントオープンキャビンビークル使用量データＤＵＤによるサービス指標データＳＤの増加量である。サービス指標データ更新部１６は、パーマネントオープンキャビンビークル製造者データＰＤに基づいて、第１レートＲＴ１又は第２レートＲＴ２のいずれを使用するのかを特定する。更に、サービス指標データ更新部１６は、差分パーマネントオープンキャビンビークル使用量データＤＵＤに第１レートＲＴ１及び第２レートＲＴ２（図６参照）のいずれかを乗算することにより、差分サービス指標データＤＳＤを算出する。これにより、第１ステップが完了する。
【００９５】
サービス指標データ更新部１６は、図３Ｂに示すように、サービス指標データＳＤ及び差分サービス指標データＤＳＤに基づいて、新たなサービス指標データＳＤを取得する。具体的には、サービス指標データ更新部１６は、サービス指標データＳＤに差分サービス指標データＤＳＤを加算する。
【００９６】
サービス指標データ更新部１６は、図３Ｂに示すように、図５に示すサービス指標データテーブルのサービス指標データＳＤを新たなサービス指標データＳＤに更新する。更に、サービス指標データ更新部１６は、図５に示すサービス指標データテーブルのパーマネントオープンキャビンビークル使用量データＵＤを最新パーマネントオープンキャビンビークル使用量データＮＵＤに更新する。これにより、第２ステップが完了する。
【００９７】
以上のように、サーバ２では、サービス指標データ更新部１６は、パーマネントオープンキャビンビークル使用量データ取得部１８が取得したパーマネントオープンキャビンビークル特定データＩＤにより特定されるパーマネントオープンキャビンビークル６のパーマネントオープンキャビンビークル製造者データＰＤが、「ＸＸＸ」及び「ＸＸＸ」以外（すなわち、「ＹＹＹ」又は「ＺＺＺ」）のいずれを示す場合であっても、パーマネントオープンキャビンビークル使用量データ取得部１８が取得したパーマネントオープンキャビンビークル使用量データＵＤに基づいて、パーマネントオープンキャビンビークル使用量データ取得部１８が取得したパーマネントオープンキャビンビークル特定データＩＤにより特定されるパーマネントオープンキャビンビークル６のサービス指標データＳＤであって、サービス指標データ記憶部２４が記憶しているサービス指標データＳＤを更新する。
【００９８】
通信部１２は、サービス指標データ出力部２０（メンテナンス要求指標データ出力部）を更に含んでいる。サービス指標データ出力部２０は、図３Ｂに示すように、サービス指標データ記憶部２４が記憶しているサービス指標データＳＤを携帯端末４に送信（出力）する。
【００９９】
通信部３８は、図３Ｂに示すように、サーバ２から送信されてくるサービス指標データＳＤを受信する。入出力部３２は、図３Ｂに示すように、図７に示すサービス指標データ表示画像を表示する。図７に示すサービス指標データ表示画像は、パーマネントオープンキャビンビークル６のサービス指標データＳＤを含んでいる。これにより、ユーザは、パーマネントオープンキャビンビークル６のサービス指標データＳＤを知ることができる。
【０１００】
ところで、ユーザは、サービス指標データＳＤをパーマネントオープンキャビンビークル６のメンテナンスに関するサービスに交換できる。入出力部３２（図１参照）は、図８に示すサービス指標データ交換画像を表示する。図８に示すサービス指標データ交換画像は、サービス指標データＳＤをサービス（オイル交換）に交換するか否かをユーザに問い合わせるための画像である。図８に示すサービス指標データ交換画像は、パーマネントオープンキャビンビークル６のパーマネントオープンキャビンビークル特定データＩＤをユーザが入力するためのボックス、１０００のサービス指標データＳＤでオイル交換をするか否かをユーザに問い合わせる記載、現在のサービス指標データＳＤを含んでいる。
【０１０１】
更に、図８に示すサービス指標データ交換画像には、「送信」ボタンが設けられている。「送信」ボタンは、サービス指標データＳＤをサービス（オイル交換）に交換することを開始することを示すボタンである。
【０１０２】
ユーザは、図８に示すサービス指標データ交換画像において、パーマネントオープンキャビンビークル６のパーマネントオープンキャビンビークル特定データＩＤを入力する。ユーザは、「送信」ボタンにタッチする。通信部３８は、パーマネントオープンキャビンビークル特定データＩＤ及び交換サービス指標データＣＳＤ（交換メンテナンス要求指標データ）をサーバ２に送信する。交換サービス指標データＣＳＤは、パーマネントオープンキャビンビークル６のメンテナンスに関するサービスにサービス指標データＳＤを交換することを示すデータである。また、交換サービス指標データＣＳＤは、サービス指標データＳＤがパーマネントオープンキャビンビークル６のメンテナンスに関するサービスと交換されたときのサービス指標データＳＤの減少量を示すデータである。図８に示すサービス指標データ交換画像では、交換サービス指標データＣＳＤは、１０００である。
【０１０３】
通信部１２は、図１に示すように、交換サービス指標データ取得部１９（交換メンテナンス要求指標データ取得部）を更に含んでいる。交換サービス指標データ取得部１９は、ビークル特定データＩＤ及び交換サービス指標データＣＳＤを取得する。サービス指標データ更新部１６は、交換サービス指標データＣＳＤに基づいて、交換サービス指標データ取得部１９が取得したパーマネントオープンキャビンビークル特定データＩＤにより特定されるパーマネントオープンキャビンビークル６のサービス指標データＳＤであって、サービス指標データ記憶部２４が記憶しているサービス指標データＳＤを更新する。具体的には、サービス指標データ更新部１６は、パーマネントオープンキャビンビークル特定データＩＤにより特定されるパーマネントオープンキャビンビークル６のサービス指標データＳＤから交換サービス指標データＣＳＤを減算する。これにより、サービス指標データ更新部１６は、新たなサービス指標データＳＤを取得する。更に、サービス指標データ更新部１６は、図５に示すサービス指標データテーブルのサービス指標データＳＤを新たなサービス指標データＳＤに更新する。
【０１０４】
サービス指標データ出力部２０は、サービス指標データ記憶部２４が記憶しているサービス指標データＳＤを携帯端末４に送信（出力）する。
【０１０５】
通信部３８は、サーバ２から送信されてくるサービス指標データＳＤを受信する。入出力部３２は、図９に示す交換後サービス指標データ表示画像を表示する。図９に示す交換後サービス指標データ表示画像は、パーマネントオープンキャビンビークル６のサービス指標データＳＤを含んでいる。図９に示すサービス指標データＳＤは、図８に示すサービス指標データＳＤから１０００だけ減少している。これは、サービス指標データＳＤがパーマネントオープンキャビンビークル６のメンテナンスに関するサービスと交換されたことを意味する。これにより、ユーザは、新たなサービス指標データＳＤを知ることができる。
【０１０６】
［サービス指標データ出力システムの第１動作］
次に、サービス指標データ出力システム１の第１動作について図面を参照しながら説明する。第１動作は、サーバ２が最新パーマネントオープンキャビンビークル使用量データＮＵＤに基づいてサービス指標データＳＤを増加させる動作である。図１０は、携帯端末４のＣＰＵ３０の動作を示すフローチャートである。図１１は、パーマネントオープンキャビンビークル６のＥＣＵ４０の動作を示すフローチャートである。図１２は、サーバ２のＣＰＵ１０の動作を示すフローチャートである。図１３は、図１２に示すステップＳ２２のサブルーチンを示したフローチャートである。ＣＰＵ３０は、記憶部３４が記憶しているプログラムを実行することによって、図１０に示すフローチャートの動作を実行する。ＥＣＵ４０は、記憶部４４が記憶しているプログラムを実行することによって、図１１に示すフローチャートの動作を実行する。ＣＰＵ１０は、記憶部１４が記憶しているプログラムを実行することによって、図１２及び図１３のフローチャートの動作を実行する。
【０１０７】
本処理は、ユーザがアプリケーションを携帯端末４に起動させることにより開始される。ＣＰＵ３０は、図３Ａに示す最新パーマネントオープンキャビンビークル使用量データ取得画像を表示するように入出力部３２に指示する（図１０  ステップＳ１）。応じて、入出力部３２は、図３Ａに示す最新パーマネントオープンキャビンビークル使用量データ取得画像を表示する。
【０１０８】
ユーザは、最新パーマネントオープンキャビンビークル使用量データ取得画像の「スタート」ボタンにタッチする。応じて、ＣＰＵ３０は、パーマネントオープンキャビンビークル使用量データ要求ＲＱをパーマネントオープンキャビンビークル６に送信するようにＢＴ通信部３６に指示する（図１０  ステップＳ２）。応じて、ＢＴ通信部３６は、パーマネントオープンキャビンビークル使用量データ要求ＲＱをパーマネントオープンキャビンビークル６に送信する。
【０１０９】
ＢＴ通信部４２は、パーマネントオープンキャビンビークル使用量データ要求ＲＱを受信し、パーマネントオープンキャビンビークル使用量データ要求ＲＱをＥＣＵ４０に出力する。これにより、ＥＣＵ４０は、パーマネントオープンキャビンビークル使用量データ要求ＲＱを取得する（図１１  ステップＳ１１）。ＥＣＵ４０は、図２に示す最新パーマネントオープンキャビンビークル使用量データテーブルを参照し、最新パーマネントオープンキャビンビークル使用量データＮＵＤを取得する。最新パーマネントオープンキャビンビークル使用量データＮＵＤは、積算走行距離、動力源積算回転数及び動力源始動回数を含んでいる。積算走行距離は、１２６６４ｋｍである。動力源積算回転数は、８４３４８８１万回転である。動力源始動回数は、１０６０回である。その後、ＥＣＵ４０は、最新パーマネントオープンキャビンビークル使用量データＮＵＤを携帯端末４に送信するようにＢＴ通信部４２に指示する（図１１  ステップＳ１２）。応じて、ＢＴ通信部４２は、最新パーマネントオープンキャビンビークル使用量データＮＵＤを携帯端末４に送信する。
【０１１０】
ＢＴ通信部３６は、最新パーマネントオープンキャビンビークル使用量データＮＵＤを受信し、最新パーマネントオープンキャビンビークル使用量データＮＵＤをＣＰＵ３０に出力する。これにより、ＣＰＵ３０は、最新パーマネントオープンキャビンビークル使用量データＮＵＤを取得する（図１０  ステップＳ３）。更に、ＣＰＵ３０は、図４に示す最新パーマネントオープンキャビンビークル特定データ送信画像を表示するように入出力部３２に指示する（図１０  ステップＳ４）。応じて、入出力部３２は、図４に示す最新パーマネントオープンキャビンビークル特定データ送信画像を表示する。
【０１１１】
ユーザは、最新パーマネントオープンキャビンビークル特定データ送信画像のボックスにパーマネントオープンキャビンビークル６のパーマネントオープンキャビンビークル特定データＩＤとして「ＡＡＡ」を入出力部３２により入力する。更に、ユーザは、最新パーマネントオープンキャビンビークル特定データ送信画像の「送信」ボタンにタッチする。応じて、ＣＰＵ３０は、最新パーマネントオープンキャビンビークル使用量データＮＵＤ及びパーマネントオープンキャビンビークル特定データＩＤをサーバ２に送信するように通信部３８に指示する（図１０  ステップＳ５）。通信部３８は、最新パーマネントオープンキャビンビークル使用量データＮＵＤ及びパーマネントオープンキャビンビークル特定データＩＤをサーバ２に送信する。
【０１１２】
パーマネントオープンキャビンビークル使用量データ取得部１８は、最新パーマネントオープンキャビンビークル使用量データＮＵＤ及びパーマネントオープンキャビンビークル特定データＩＤを受信し、最新パーマネントオープンキャビンビークル使用量データＮＵＤ及びパーマネントオープンキャビンビークル特定データＩＤをサービス指標データ更新部１６に出力する。これにより、サービス指標データ更新部１６は、最新パーマネントオープンキャビンビークル使用量データＮＵＤ及びパーマネントオープンキャビンビークル特定データＩＤを取得する（図１２  ステップＳ２１）。次に、サービス指標データ更新部１６は、図５に示すサービス指標データテーブルのサービス指標データＳＤの更新を行う（図１２  ステップＳ２２）。
【０１１３】
サービス指標データ更新部１６は、図５に示すサービス指標データテーブルを参照し、「ＡＡＡ」であるパーマネントオープンキャビンビークル特定データＩＤに対応するサービス指標データＳＤ、パーマネントオープンキャビンビークル使用量データＵＤ及びパーマネントオープンキャビンビークル製造者データＰＤを取得する（図１３  ステップＳ３１）。サービス指標データＳＤは、１５２３６である。パーマネントオープンキャビンビークル使用量データＵＤは、積算走行距離、動力源積算回転数及び動力源始動回数を含んでいる。積算走行距離は、１２５６４ｋｍである。動力源積算回転数は、８４３４８７３万回転である。動力源始動回数は、１０５６回である。パーマネントオープンキャビンビークル製造者データＰＤは、「ＸＸＸ」である。
【０１１４】
サービス指標データ更新部１６は、差分パーマネントオープンキャビンビークル使用量データＤＵＤを算出する（図１３  ステップＳ３２）。サービス指標データ更新部１６は、最新パーマネントオープンキャビンビークル使用量データＮＵＤからパーマネントオープンキャビンビークル使用量データＵＤを減算する。最新パーマネントオープンキャビンビークル使用量データＮＵＤの積算走行距離は、１２６６４ｋｍである。パーマネントオープンキャビンビークル使用量データＵＤの積算走行距離は、１２５６４ｋｍである。そのため、差分パーマネントオープンキャビンビークル使用量データＤＵＤの積算走行距離は、１００ｋｍである。最新パーマネントオープンキャビンビークル使用量データＮＵＤの動力源積算回転数は、８４３４８８１万回転である。パーマネントオープンキャビンビークル使用量データＵＤの動力源積算回転数は、８４３４８７３万回転である。そのため、差分パーマネントオープンキャビンビークル使用量データＤＵＤの動力源積算回転数は、８万回転である。最新パーマネントオープンキャビンビークル使用量データＮＵＤの動力源始動回数は、１０６０回である。パーマネントオープンキャビンビークル使用量データＵＤの動力源始動回数は、１０５６回である。そのため、差分パーマネントオープンキャビンビークル使用量データＤＵＤの動力源始動回数は、４回である。
【０１１５】
サービス指標データ更新部１６は、パーマネントオープンキャビンビークル製造者データＰＤが「ＸＸＸ」であるか否かを判定する（図１３  ステップＳ３３）。パーマネントオープンキャビンビークル製造者データＰＤが「ＸＸＸ」である場合、本処理はステップＳ３４に進む。パーマネントオープンキャビンビークル製造者データＰＤが「ＸＸＸ」でない場合、本処理はステップＳ３５に進む。
【０１１６】
パーマネントオープンキャビンビークル製造者データＰＤが「ＸＸＸ」である場合、サービス指標データ更新部１６は、第１レートＲＴ１を使って、差分サービス指標データＤＳＤを算出する（図１３  ステップＳ３４）。サービス指標データ更新部１６は、差分パーマネントオープンキャビンビークル使用量データＤＵＤに図６の換算テーブルの第１レートＲＴ１を乗算することにより、差分サービス指標データＤＳＤを算出する。例えば、「ＡＡＡ」であるパーマネントオープンキャビンビークル特定データＩＤに対応する差分サービス指標データＤＳＤは、以下の式（１）に従って算出される。この後、本処理はステップＳ３６に進む。
【０１１７】
ＤＳＤ＝１００（ｋｍ）×１（／ｋｍ）＋８００００（回転）×１（／１万回転）＋４（回）×１（／回）＝１１２  ・・・（１）
【０１１８】
パーマネントオープンキャビンビークル製造者データＰＤが「ＸＸＸ」でない場合、サービス指標データ更新部１６は、第２レートＲＴ２を使って、差分サービス指標データＤＳＤを算出する（図１３  ステップＳ３５）。サービス指標データ更新部１６は、差分パーマネントオープンキャビンビークル使用量データＤＵＤに図６の換算テーブルの第２レートＲＴ２を乗算することにより、差分サービス指標データＤＳＤを算出する。パーマネントオープンキャビンビークル製造者データＰＤが「ＸＸＸ」でないと仮定して説明する。「ＡＡＡ」であるパーマネントオープンキャビンビークル特定データＩＤに対応する差分サービス指標データＤＳＤは、以下の式（２）に従って算出される。この後、本処理はステップＳ３６に進む。
【０１１９】
ＤＳＤ＝１００（ｋｍ）×０．５（／ｋｍ）＋８００００（回転）×０．５（／１万回転）＋４（回）×０．５（／回）＝５６  ・・・（２）
【０１２０】
前記ステップＳ３６において、サービス指標データ更新部１６は、図５に示すサービス指標データテーブルに記録されているサービス指標データＳＤに差分サービス指標データＤＳＤを加算する（図１３  ステップＳ３６）。サービス指標データＳＤは、１５２３６である。パーマネントオープンキャビンビークル製造者データＰＤが「ＸＸＸ」である場合、差分サービス指標データＤＳＤは、１１２である。この場合、新たなサービス指標データＳＤは、１５３４８である。パーマネントオープンキャビンビークル製造者データＰＤが「ＸＸＸ」でない場合、差分サービス指標データＤＳＤは、５６である。従って、新たなサービス指標データＳＤは、１５２９２である。
【０１２１】
サービス指標データ更新部１６は、図５に示すサービス指標データテーブルのサービス指標データＳＤをステップＳ３４又はステップＳ３５で算出した新たなサービス指標データＳＤに更新する（図１３  ステップＳ３７）。
【０１２２】
サービス指標データ更新部１６は、ステップＳ３７で更新した新たなサービス指標データＳＤを携帯端末４に送信するようにサービス指標データ出力部２０に指示する（図１２  ステップＳ２３）。応じて、サービス指標データ出力部２０は、サービス指標データＳＤを携帯端末４に送信する。
【０１２３】
通信部３８は、サービス指標データＳＤを受信し、サービス指標データＳＤをＣＰＵ３０に出力する。これにより、ＣＰＵ３０は、サービス指標データＳＤを取得する（図１０  ステップＳ６）。ＣＰＵ３０は、図７に示すサービス指標データ表示画像を表示するように入出力部３２に指示する（図１０  ステップＳ７）。応じて、入出力部３２は、図７に示すサービス指標データ表示画像を表示する。これにより、ユーザは、パーマネントオープンキャビンビークル６のサービス指標データＳＤを知ることができる。
【０１２４】
［サービス指標データ出力システムの第２動作］
次に、サービス指標データ出力システム１の第２動作について図面を参照しながら説明する。第２動作は、サービス指標データＳＤがパーマネントオープンキャビンビークル６のメンテナンスに関するサービスと交換されたときの動作である。図１４は、携帯端末４のＣＰＵ３０の動作を示すフローチャートである。図１５は、サーバ２のＣＰＵ１０の動作を示すフローチャートである。
【０１２５】
本処理は、ユーザがアプリケーションを携帯端末４に起動させることにより開始される。ＣＰＵ３０は、図８に示すサービス指標データ交換画像を表示するように入出力部３２に指示する（図１４  ステップＳ５１）。応じて、入出力部３２は、図８に示すサービス指標データ交換画像を表示する。
【０１２６】
ユーザは、サービス指標データ交換画像のボックスにパーマネントオープンキャビンビークル６のパーマネントオープンキャビンビークル特定データＩＤとして「ＡＡＡ」を入出力部３２により入力する。更に、ユーザは、サービス指標データ交換画像の「送信」ボタンにタッチする。応じて、ＣＰＵ３０は、交換サービス指標データＣＳＤ及びパーマネントオープンキャビンビークル特定データＩＤをサーバ２に送信するように通信部３８に指示する（図１４  ステップＳ５２）。通信部３８は、交換サービス指標データＣＳＤ及びパーマネントオープンキャビンビークル特定データＩＤをサーバ２に送信する。
【０１２７】
交換サービス指標データ取得部１９は、交換サービス指標データＣＳＤ及びパーマネントオープンキャビンビークル特定データＩＤを受信し、交換サービス指標データＣＳＤ及びパーマネントオープンキャビンビークル特定データＩＤをサービス指標データ更新部１６に出力する。これにより、サービス指標データ更新部１６は、交換サービス指標データＣＳＤ及びパーマネントオープンキャビンビークル特定データＩＤを取得する（図１５  ステップＳ６１）。
【０１２８】
サービス指標データ更新部１６は、図５に示すサービス指標データテーブルを参照し、「ＡＡＡ」であるパーマネントオープンキャビンビークル特定データＩＤに対応するサービス指標データＳＤを取得する（図１５  ステップＳ６２）。図５に示すサービス指標データテーブルでは、サービス指標データＳＤは、１５２３６である。しかしながら、サービス指標データＳＤは、図８に示すように、１５３４８であるとする。
【０１２９】
サービス指標データ更新部１６は、サービス指標データＳＤから交換サービス指標データＣＳＤを減算する（図１５  ステップＳ６３）。サービス指標データＳＤは、１５３４８である。交換サービス指標データＣＳＤは、１０００である。従って、新たなサービス指標データＳＤは、１４３４８である。
【０１３０】
サービス指標データ更新部１６は、図５に示すサービス指標データテーブルのサービス指標データＳＤをステップＳ６３で算出した新たなサービス指標データＳＤに更新する（図１５  ステップＳ６４）。
【０１３１】
サービス指標データ更新部１６は、ステップＳ６４で更新した新たなサービス指標データＳＤを携帯端末４に送信するようにサービス指標データ出力部２０に指示する（図１５  ステップＳ６５）。応じて、サービス指標データ出力部２０は、サービス指標データＳＤを携帯端末４に送信する。
【０１３２】
通信部３８は、サービス指標データＳＤを受信し、サービス指標データＳＤをＣＰＵ３０に出力する。これにより、ＣＰＵ３０は、サービス指標データＳＤを取得する（図１４  ステップＳ５３）。ＣＰＵ３０は、図９に示す交換後サービス指標データ表示画像を表示するように入出力部３２に指示する（図１４  ステップＳ５４）。応じて、入出力部３２は、図９に示す交換後サービス指標データ表示画像を表示する。これにより、ユーザは、パーマネントオープンキャビンビークル６のサービス指標データＳＤを知ることができる。
【０１３３】
なお、上記説明では、パーマネントオープンキャビンビークル特定データＩＤが「ＡＡＡ」であるとした。パーマネントオープンキャビンビークル特定データＩＤが「ＡＡＡ」である場合、パーマネントオープンキャビンビークル製造者データＰＤが「ＸＸＸ」である。しかしながら、パーマネントオープンキャビンビークル特定データＩＤが「ＡＡＡ」以外である場合も、パーマネントオープンキャビンビークル特定データＩＤが「ＡＡＡ」である場合と同じように、第２動作が行われる。すなわち、パーマネントオープンキャビンビークル製造者データＰＤが「ＸＸＸ」以外である場合も、パーマネントオープンキャビンビークル製造者データＰＤが「ＸＸＸ」である場合と同じように、第２の動作が行われる。
【０１３４】
［効果］
（Ｉ）サービス指標データ出力システム１によれば、サーバ２のデータ処理の負荷の増大を抑制しつつ、メンテナンス時期であることの通知が行われる前にメンテナンスに関する状況をユーザに通知できる。より詳細には、サービス指標データ更新部１６は、最新パーマネントオープンキャビンビークル使用量データＮＵＤに基づいて、差分サービス指標データＤＳＤを取得する。差分サービス指標データＤＳＤは、最新パーマネントオープンキャビンビークル使用量データＮＵＤによる指標の増加量である。従って、パーマネントオープンキャビンビークル６が使用されることにより最新パーマネントオープンキャビンビークル使用量データＮＵＤが増加すると、差分サービス指標データＤＳＤが増加する。そして、サービス指標データ更新部１６は、差分サービス指標データＤＳＤに基づいて、サービス指標データＳＤを取得する。従って、サービス指標データＳＤは、パーマネントオープンキャビンビークル６が使用されるにしたがって増加する。すなわち、サービス指標データＳＤは、パーマネントオープンキャビンビークル６及びパーマネントオープンキャビンビークル６の部品の劣化度を示している。従って、サービス指標データＳＤは、パーマネントオープンキャビンビークル６のメンテナンスの必要性を示す指標として用いられることが可能である。そこで、サービス指標データ出力部２０は、サービス指標データＳＤをサーバ２の外部に出力する。これにより、ユーザは、パーマネントオープンキャビンビークル６のメンテナンス時期であることの通知が行われる前にメンテナンスに関する状況を知ることができる。
【０１３５】
（ＩＩ）更に、サービス指標データＳＤは、最新パーマネントオープンキャビンビークル使用量データＮＵＤを一つにまとめたシンプルな指標である。そのため、サービス指標データＳＤの更新及び出力の際にサーバ２にかかる負荷が小さい。以上より、サービス指標データ出力システム１によれば、サーバ２のデータ処理の負荷の増大を抑制しつつ、メンテナンス時期であることの通知が行われる前にメンテナンスに関する状況をユーザに通知できる。
【０１３６】
（ＩＩＩ）また、サービス指標データ出力システム１によれば、ユーザは、料金を支払うことなく、パーマネントオープンキャビンビークル６を使用することによりサービス指標データＳＤを取得することができる。更に、ユーザは、このサービス指標データＳＤをメンテナンスに関するサービスと交換することができる。よって、パーマネントオープンキャビンビークル６の使用が促されると共に、パーマネントオープンキャビンビークル６のメンテナンスも促される。
【０１３７】
（ＩＶ）また、サービス指標データ出力システム１によれば、パーマネントオープンキャビンビークル６のメンテナンスに関するサービスは、「ＸＸＸ」により提供される。ただし、ユーザは、ビークルの製造者が「ＸＸＸ」又は「ＸＸＸ」以外のいずれであってもサービス指標データＳＤを取得することができる。これにより、「ＸＸＸ」以外により製造されたパーマネントオープンキャビンビークル６に関する情報のサービス指標データ出力システム１への登録が促進される。
【０１３８】
（Ｖ）また、サービス指標データ出力システム１によれば、ユーザは、「ＸＸＸ」が製造したパーマネントオープンキャビンビークル６を使用する方が、「ＸＸＸ」以外が製造したパーマネントオープンキャビンビークル６を使用するよりもサービス指標データＳＤを多く取得できる。これにより、「ＸＸＸ」により製造されたパーマネントオープンキャビンビークル６に関する情報のサービス指標データ出力システム１への登録が促進される。
【０１３９】
（ＶＩ）また、サービス指標データ出力システム１は、サービス指標データＳＤがメンテナンスに関するサービスと交換された際に、サービス指標データＳＤを更新することができる。
【０１４０】
（ＶＩＩ）また、最新パーマネントオープンキャビンビークル使用量データＮＵＤは、積算走行距離、動力源積算回転数及び動力源始動回数を含んでいる。サービス指標データ更新部１６は、最新パーマネントオープンキャビンビークル使用量データＮＵＤに基づいて、差分サービス指標データＤＳＤを取得する。よって、差分サービス指標データＤＳＤは、積算走行距離、動力源積算回転数及び動力源始動回数に依存している。更に、サービス指標データ更新部１６は、差分サービス指標データＤＳＤに基づいて、サービス指標データＳＤを更新する。従って、サービス指標データＳＤも、積算走行距離、動力源積算回転数及び動力源始動回数に依存している。そのため、ユーザは、サービス指標データＳＤに基づいて、積算走行距離、動力源積算回転数及び動力源始動回数の増加により劣化する部品のメンテナンスに関する状況を知ることができる。積算走行距離の増加により劣化する部品は、例えば、エンジンオイル、タイヤ等が挙げられる。動力源積算回転数の増加により劣化する部品は、例えば、エンジンオイル、点火プラグ、タイミングベルト等が挙げられる。動力源始動回数の増加により劣化する部品は、例えば、バッテリが挙げられる。
【０１４１】
（第２の実施形態）
次に、第２の実施形態に係るサービス指標データ出力システム及びサービス指標データ出力方法について説明する。
【０１４２】
［サービス指標データ出力システムの全体構成］
以下に、サービス指標データ出力システム１ａの全体構成について図面を参照しながら説明する。サービス指標データ出力システム１ａの全体構成は、サービス指標データ出力システム１の全体構成と同じである。そこで、サービス指標データ出力システム１ａの全体構成のブロック図については、図１を援用する。図１６は、記憶部３４が記憶しているパーマネントオープンキャビンビークル使用量データテーブルを示した図である。図１７は、サービス指標データ記憶部２４が記憶しているサービス指標データテーブルである。
【０１４３】
サービス指標データ出力システム１とサービス指標データ出力システム１ａとの相違点について説明する。サービス指標データ出力システム１では、携帯端末４は、最新パーマネントオープンキャビンビークル使用量データＮＵＤをサーバ２に送信する。サーバ２は、パーマネントオープンキャビンビークル使用量データＵＤを記憶している。サーバ２は、最新パーマネントオープンキャビンビークル使用量データＮＵＤとパーマネントオープンキャビンビークル使用量データＵＤとの差分である差分パーマネントオープンキャビンビークル使用量データＤＵＤを算出する。サーバ２は、差分パーマネントオープンキャビンビークル使用量データＤＵＤに基づいて、新たなサービス指標データＳＤを算出する。
【０１４４】
一方、サービス指標データ出力システム１ａでは、携帯端末４は、パーマネントオープンキャビンビークル使用量データＵＤを記憶している。携帯端末４は、最新パーマネントオープンキャビンビークル使用量データＮＵＤをパーマネントオープンキャビンビークル６から取得する。携帯端末４は、最新パーマネントオープンキャビンビークル使用量データＮＵＤからパーマネントオープンキャビンビークル使用量データＵＤを減算して、差分パーマネントオープンキャビンビークル使用量データＤＵＤを算出する。携帯端末４は、差分パーマネントオープンキャビンビークル使用量データＤＵＤをサーバ２に送信する。サーバ２は、差分パーマネントオープンキャビンビークル使用量データＤＵＤに基づいて、新たなサービス指標データＳＤを算出する。このように、サービス指標データ出力システム１ａでは、携帯端末４が差分パーマネントオープンキャビンビークル使用量データＤＵＤを算出する点において、サービス指標データ出力システム１と相違する。以下に、サービス指標データ出力システム１ａの詳細について説明する。
【０１４５】
サービス指標データ出力システム１ａのパーマネントオープンキャビンビークル６は、サービス指標データ出力システム１のパーマネントオープンキャビンビークル６と同じであるので説明を省略する。
【０１４６】
サービス指標データ出力システム１ａの携帯端末４のハードウェア構成は、サービス指標データ出力システム１の携帯端末４のハードウェア構成と同じである。ただし、記憶部３４は、図１６に示すパーマネントオープンキャビンビークル使用量データテーブルを記憶している。図１６に示すパーマネントオープンキャビンビークル使用量データテーブルは、パーマネントオープンキャビンビークル６のパーマネントオープンキャビンビークル使用量データＵＤを含んでいる。
【０１４７】
サービス指標データ出力システム１ａのサーバ２のハードウェア構成は、サービス指標データ出力システム１のサーバ２のハードウェア構成と同じである。ただし、サービス指標データ記憶部２４は、図１７に示すサービス指標データテーブルを記憶している。図１７に示すサービス指標データテーブルは、パーマネントオープンキャビンビークル特定データＩＤとパーマネントオープンキャビンビークル製造者データＰＤとサービス指標データＳＤとを関連付けている。
【０１４８】
［サービス指標データ出力システムの動作］
次に、サービス指標データ出力システム１ａの第１動作について図面を参照しながら説明する。第１動作は、サーバ２が最新パーマネントオープンキャビンビークル使用量データＮＵＤに基づいてサービス指標データＳＤを増加させる動作である。図１８は、入出力部３２に表示される画像の一例である。図１９は、携帯端末４のＣＰＵ３０の動作を示すフローチャートである。図２０は、サーバ２のＣＰＵ１０の動作を示すフローチャートである。図２１は、図２０に示すステップＳ１２２のサブルーチンを示したフローチャートである。パーマネントオープンキャビンビークル６のＥＣＵ４０の動作については、図１１を援用する。
【０１４９】
サービス指標データ出力システム１ａのステップＳ１〜Ｓ３，Ｓ１１，Ｓ１２は、サービス指標データ出力システム１のステップＳ１〜Ｓ３，Ｓ１１，Ｓ１２と同じであるので説明を省略する。
【０１５０】
ＣＰＵ３０は、図１６に示すパーマネントオープンキャビンビークル使用量データテーブルを参照し、パーマネントオープンキャビンビークル使用量データＵＤを取得する（図１９  ステップＳ１０１）。パーマネントオープンキャビンビークル使用量データＵＤは、積算走行距離、動力源積算回転数及び動力源始動回数を含んでいる。積算走行距離は、１２５６４ｋｍである。動力源積算回転数は、８４３４８７３万回転である。動力源始動回数は、１０５６回である。
【０１５１】
ＣＰＵ３０は、差分パーマネントオープンキャビンビークル使用量データＤＵＤを算出する（図１９  ステップＳ１０２）。ＣＰＵ３０は、最新パーマネントオープンキャビンビークル使用量データＮＵＤからパーマネントオープンキャビンビークル使用量データＵＤを減算する。差分パーマネントオープンキャビンビークル使用量データＤＵＤの積算走行距離は、１００ｋｍである。差分パーマネントオープンキャビンビークル使用量データＤＵＤの動力源積算回転数は、８万回転である。差分パーマネントオープンキャビンビークル使用量データＤＵＤの動力源始動回数は、４回である。
【０１５２】
ＣＰＵ３０は、図１８に示す差分パーマネントオープンキャビンビークル使用量データ送信画像を表示するように入出力部３２に指示する（図１９  ステップＳ１０３）。応じて、入出力部３２は、図１８に示す差分パーマネントオープンキャビンビークル使用量データ送信画像を表示する。ユーザは、最新パーマネントオープンキャビンビークル特定データ送信画像のボックスにパーマネントオープンキャビンビークル６のパーマネントオープンキャビンビークル特定データＩＤとして「ＡＡＡ」を入出力部３２により入力する。更に、ユーザは、最新パーマネントオープンキャビンビークル特定データ送信画像の「送信」ボタンにタッチする。応じて、ＣＰＵ３０は、図１６に示すパーマネントオープンキャビンビークル使用量データテーブルのパーマネントオープンキャビンビークル使用量データＵＤを最新パーマネントオープンキャビンビークル使用量データＮＵＤに更新する（図１９  ステップＳ１０４）。更に、ＣＰＵ３０は、差分パーマネントオープンキャビンビークル使用量データＤＵＤ及びパーマネントオープンキャビンビークル特定データＩＤをサーバ２に送信するように通信部３８に指示する（図１９  ステップＳ１０５）。通信部３８は、差分パーマネントオープンキャビンビークル使用量データＤＵＤ及びパーマネントオープンキャビンビークル特定データＩＤをサーバ２に送信する。
【０１５３】
パーマネントオープンキャビンビークル使用量データ取得部１８は、差分パーマネントオープンキャビンビークル使用量データＤＵＤ及びパーマネントオープンキャビンビークル特定データＩＤを受信し、差分パーマネントオープンキャビンビークル使用量データＤＵＤ及びパーマネントオープンキャビンビークル特定データＩＤをサービス指標データ更新部１６に出力する。これにより、サービス指標データ更新部１６は、携帯端末４から送信されてくる差分パーマネントオープンキャビンビークル使用量データＤＵＤ（ビークル使用量データ）及びパーマネントオープンキャビンビークル特定データＩＤを取得する（図２０  ステップＳ１２１）。次に、サービス指標データ更新部１６は、サービス指標データ記憶部２４が記憶しているサービス指標データテーブルのサービス指標データＳＤの更新を行う（図２０  ステップＳ１２２）。
【０１５４】
サービス指標データ出力システム１ａのステップＳ３３〜Ｓ３７は、サービス指標データ出力システム１のステップＳ３３〜Ｓ３７と同じであるので説明を省略する。また、サービス指標データ出力システム１ａのステップＳ２３は、サービス指標データ出力システム１のステップＳ２３と同じであるので説明を省略する。また、サービス指標データ出力システム１ａのステップＳ６，Ｓ７は、サービス指標データ出力システム１のステップＳ６，Ｓ７と同じであるので説明を省略する。
【０１５５】
また、サービス指標データ出力システム１ａの第２動作は、サービス指標データ出力システム１の第２動作と同じであるので説明を省略する。第２動作は、サービス指標データＳＤがパーマネントオープンキャビンビークル６のメンテナンスに関するサービスと交換されたときの動作である。
【０１５６】
［効果］
（Ｉ）、（ＩＩ）サービス指標データ出力システム１ａによれば、サービス指標データ出力システム１と同じ理由により、サーバ２のデータ処理の負荷の増大を抑制しつつ、メンテナンス時期であることの通知が行われる前にメンテナンスに関する状況をユーザに通知できる。
【０１５７】
（ＩＩＩ）サービス指標データ出力システム１ａによれば、サービス指標データ出力システム１と同じ理由により、パーマネントオープンキャビンビークル６の使用が促されると共に、パーマネントオープンキャビンビークル６のメンテナンスも促される。
【０１５８】
（ＩＶ）サービス指標データ出力システム１ａによれば、サービス指標データ出力システム１と同じ理由により、「ＸＸＸ」以外により製造されたパーマネントオープンキャビンビークル６に関する情報のサービス指標データ出力システム１ａへの登録が促進される。
【０１５９】
（Ｖ）サービス指標データ出力システム１ａによれば、サービス指標データ出力システム１と同じ理由により、「ＸＸＸ」により製造されたパーマネントオープンキャビンビークル６に関する情報のサービス指標データ出力システム１ａへの登録が促進される。
【０１６０】
（ＶＩ）サービス指標データ出力システム１ａは、サービス指標データ出力システム１と同じように、サービス指標データＳＤがメンテナンスに関するサービスと交換された際に、サービス指標データＳＤを更新することができる。
【０１６１】
（ＶＩＩ）サービス指標データ出力システム１ａによれば、サービス指標データ出力システム１と同じ理由により、ユーザは、サービス指標データＳＤに基づいて、積算走行距離、動力源積算回転数及び動力源始動回数の増加により劣化する部品のメンテナンスに関する状況を知ることができる。
【０１６２】
（第３の実施形態）
次に、第３の実施形態に係るサービス指標データ出力システム及びサービス指標データ出力方法について説明する。
【０１６３】
［サービス指標データ出力システムの全体構成］
以下に、サービス指標データ出力システム１ｂの全体構成について図面を参照しながら説明する。図２２は、サービス指標データ出力システム１ｂの全体構成を示したブロック図である。図２３は、最新パーマネントオープンキャビンビークル使用量データテーブルを示した図である。
【０１６４】
まず、サービス指標データ出力システム１とサービス指標データ出力システム１ｂとの相違点について説明する。サービス指標データ出力システム１ｂは、サーバ２を備えていない。サービス指標データ出力システム１ｂの携帯端末４（サービス指標データ出力装置の一例）は、サービス指標データ出力システム１のサーバ２及び携帯端末４が行っていた処理を行う。
【０１６５】
サービス指標データ出力システム１ｂのパーマネントオープンキャビンビークル６のハードウェア構成は、サービス指標データ出力システム１のパーマネントオープンキャビンビークル６のハードウェア構成と同じである。ただし、記憶部４４は、図２３に示す最新パーマネントオープンキャビンビークル使用量データテーブルを記憶している。図２３に示す最新パーマネントオープンキャビンビークル使用量データテーブルは、パーマネントオープンキャビンビークル６のパーマネントオープンキャビンビークル特定データＩＤ及び最新パーマネントオープンキャビンビークル使用量データＮＵＤを含んでいる。パーマネントオープンキャビンビークル特定データＩＤは、ユーザにより設定された文字列であってもよいし、パーマネントオープンキャビンビークル６に予め設定されている車体番号であってもよい。パーマネントオープンキャビンビークル特定データＩＤは、パーマネントオープンキャビンビークル６の製造時又はパーマネントオープンキャビンビークル６の製造履歴が登録されるときに付与されるＩＤであってもよい。
【０１６６】
携帯端末４は、例えば、店舗等に設けられているタブレット型端末である。携帯端末４は、パーマネントオープンキャビンビークル６と通信可能である。携帯端末４は、図２２に示すように、ＣＰＵ３０、入出力部３２、記憶部３４及びＢＴ通信部３６を備えている。ＣＰＵ３０は、入出力部３２、記憶部３４及びＢＴ通信部３６の動作を制御する。記憶部３４は、ＣＰＵ３０が実行するプログラムを記憶している。入出力部３２は、ユーザからの入力を受け付ける入力インターフェースであると共に、ユーザに情報を表示する表示装置である。入出力部３２は、例えば、タッチパネル付き表示装置である。記憶部３４は、例えば、不揮発性メモリである。ＢＴ通信部３６は、ＢＴ通信部４２と近距離無線通信を行う。
【０１６７】
以下に、携帯端末４の各構成について詳細に説明する。入出力部３２は、図３Ａに示す最新パーマネントオープンキャビンビークル使用量データ取得画像を表示する。ユーザがスタートボタンにタッチすると、ＢＴ通信部３６は、パーマネントオープンキャビンビークル使用量データ要求ＲＱをパーマネントオープンキャビンビークル６に送信する。パーマネントオープンキャビンビークル使用量データ要求ＲＱは、最新パーマネントオープンキャビンビークル使用量データＮＵＤ及びパーマネントオープンキャビンビークル特定データＩＤを要求するためのデータである。ＢＴ通信部４２は、パーマネントオープンキャビンビークル使用量データ要求ＲＱに応じて、最新パーマネントオープンキャビンビークル使用量データＮＵＤ及びパーマネントオープンキャビンビークル特定データＩＤ（図２３参照）を携帯端末４に送信する。
【０１６８】
ＢＴ通信部３６は、パーマネントオープンキャビンビークル使用量データ取得部１８を含んでいる。ＢＴ通信部３６は、パーマネントオープンキャビンビークル６から送信されてくる最新パーマネントオープンキャビンビークル使用量データＮＵＤ及びパーマネントオープンキャビンビークル特定データＩＤを受信する。これにより、パーマネントオープンキャビンビークル使用量データ取得部１８は、最新パーマネントオープンキャビンビークル使用量データＮＵＤ及びパーマネントオープンキャビンビークル特定データＩＤを取得する。
【０１６９】
記憶部３４は、サービス指標データ記憶部２４及び換算テーブル記憶部２６を含んでいる。サービス指標データ記憶部２４は、パーマネントオープンキャビンビークル特定データＩＤとパーマネントオープンキャビンビークル製造者データＰＤとサービス指標データＳＤとパーマネントオープンキャビンビークル使用量データＵＤとを関連付けて記憶している。そこで、サービス指標データ記憶部２４は、図５に示すサービス指標データテーブルを記憶している。サービス指標データ出力システム１ｂのパーマネントオープンキャビンビークル特定データＩＤ、パーマネントオープンキャビンビークル製造者データＰＤ、サービス指標データＳＤ、パーマネントオープンキャビンビークル使用量データＵＤ及びサービス指標データテーブルは、サービス指標データ出力システム１のパーマネントオープンキャビンビークル特定データＩＤ、パーマネントオープンキャビンビークル製造者データＰＤ、サービス指標データＳＤ、パーマネントオープンキャビンビークル使用量データＵＤ及びサービス指標データテーブルと同じであるので説明を省略する。
【０１７０】
換算テーブル記憶部２６は、図６に示す換算テーブルを記憶している。サービス指標データ出力システム１ｂの換算テーブルは、サービス指標データ出力システム１の換算テーブルと同じであるので説明を省略する。
【０１７１】
ＣＰＵ３０は、サービス指標データ更新部１６を含んでいる。サービス指標データ更新部１６は、サービス指標データ記憶部２４が記憶しているサービス指標データＳＤを更新する。
【０１７２】
入出力部３２は、サービス指標データ出力部２０を更に含んでいる。サービス指標データ出力部２０は、サービス指標データ記憶部２４が記憶しているサービス指標データＳＤを出力する。具体的には、入出力部３２は、図７に示すサービス指標データ表示画像を表示する。図７に示すサービス指標データ表示画像は、パーマネントオープンキャビンビークル６のサービス指標データＳＤを含んでいる。これにより、ユーザは、パーマネントオープンキャビンビークル６のサービス指標データＳＤを知ることができる。
【０１７３】
［サービス指標データ出力システムの動作］
次に、サービス指標データ出力システム１ｂの動作について図面を参照しながら説明する。図２４は、携帯端末４のＣＰＵ３０の動作を示すフローチャートである。図２５は、パーマネントオープンキャビンビークル６のＥＣＵ４０の動作を示すフローチャートである。図２４のステップＳ２２のサブルーチンを示したフローチャートは、図１３を援用する。
【０１７４】
サービス指標データ出力システム１ｂのステップＳ１，Ｓ２，Ｓ１１は、サービス指標データ出力システム１のステップＳ１，Ｓ２，Ｓ１１と同じであるので説明を省略する。
【０１７５】
ステップＳ１１の後に、ＥＣＵ４０は、最新パーマネントオープンキャビンビークル使用量データテーブル（図２３参照）を参照し、最新パーマネントオープンキャビンビークル使用量データＮＵＤ及びパーマネントオープンキャビンビークル特定データＩＤを取得する。最新パーマネントオープンキャビンビークル使用量データＮＵＤは、積算走行距離、動力源積算回転数及び動力源始動回数を含んでいる。積算走行距離は、１２６６４ｋｍである。動力源積算回転数は、８４３４８８１万回転である。動力源始動回数は、１０６０回である。パーマネントオープンキャビンビークル特定データＩＤは、「ＡＡＡ」である。その後、ＥＣＵ４０は、最新パーマネントオープンキャビンビークル使用量データＮＵＤ及びパーマネントオープンキャビンビークル特定データＩＤを携帯端末４に送信するようにＢＴ通信部４２に指示する（図２５  ステップＳ２１１）。ＢＴ通信部４２は、最新パーマネントオープンキャビンビークル使用量データＮＵＤ及びパーマネントオープンキャビンビークル特定データＩＤを携帯端末４に送信する。
【０１７６】
パーマネントオープンキャビンビークル使用量データ取得部１８は、最新パーマネントオープンキャビンビークル使用量データＮＵＤ及びパーマネントオープンキャビンビークル特定データＩＤを受信（取得）し、最新パーマネントオープンキャビンビークル使用量データＮＵＤ及びパーマネントオープンキャビンビークル特定データＩＤをＣＰＵ３０に出力する。これにより、ＣＰＵ３０は、最新パーマネントオープンキャビンビークル使用量データＮＵＤ及びパーマネントオープンキャビンビークル特定データＩＤを取得する（図２４  ステップＳ２０１）。
【０１７７】
サービス指標データ更新部１６は、図５に示すサービス指標データテーブルのサービス指標データＳＤの更新を行う（図２４  ステップＳ２２）。サービス指標データ出力システム１ｂのステップＳ２２は、サービス指標データ出力システム１のステップＳ２２と同じであるので説明を省略する。
【０１７８】
ＣＰＵ３０は、ステップＳ３７（図１３参照）で更新した新たなサービス指標データＳＤに基づいて、図７に示すサービス指標データ表示画像を表示するように入出力部３２に指示する（図２４  ステップＳ２０２）。応じて、入出力部３２は、図７に示すサービス指標データ表示画像を表示する。これにより、ユーザは、パーマネントオープンキャビンビークル６のサービス指標データＳＤを知ることができる。
【０１７９】
［効果］
（Ｉ）、（ＩＩ）サービス指標データ出力システム１ｂによれば、サービス指標データ出力システム１と同じ理由により、サーバ２のデータ処理の負荷の増大を抑制しつつ、メンテナンス時期であることの通知が行われる前にメンテナンスに関する状況をユーザに通知できる。
【０１８０】
（ＩＩＩ）サービス指標データ出力システム１ｂによれば、サービス指標データ出力システム１と同じ理由により、パーマネントオープンキャビンビークル６の使用が促されると共に、パーマネントオープンキャビンビークル６のメンテナンスも促される。
【０１８１】
（ＩＶ）サービス指標データ出力システム１ｂによれば、サービス指標データ出力システム１と同じ理由により、「ＸＸＸ」以外により製造されたパーマネントオープンキャビンビークル６に関する情報のサービス指標データ出力システム１ｂへの登録が促進される。
【０１８２】
（Ｖ）サービス指標データ出力システム１ｂによれば、サービス指標データ出力システム１と同じ理由により、「ＸＸＸ」により製造されたパーマネントオープンキャビンビークル６に関する情報のサービス指標データ出力システム１ｂへの登録が促進される。
【０１８３】
（ＶＩ）サービス指標データ出力システム１ｂは、サービス指標データ出力システム１と同じように、サービス指標データＳＤがメンテナンスに関するサービスと交換された際に、サービス指標データＳＤを更新することができる。
【０１８４】
（ＶＩＩ）サービス指標データ出力システム１ｂによれば、サービス指標データ出力システム１と同じ理由により、ユーザは、サービス指標データＳＤに基づいて、積算走行距離、動力源積算回転数及び動力源始動回数の増加により劣化する部品のメンテナンスに関する状況を知ることができる。
【０１８５】
（その他の実施形態）
本明細書において記載と図示の少なくとも一方がなされた実施形態及び変形例は、本開示の理解を容易にするためのものであって、本開示の思想を限定するものではない。上記の実施形態及び変形例は、その趣旨を逸脱することなく変更・改良され得る。
【０１８６】
当該趣旨は、本明細書に開示された実施形態例に基づいて当業者によって認識されうる、均等な要素、修正、削除、組み合わせ（例えば、実施形態及び変形例に跨る特徴の組み合わせ）、改良、変更を包含する。特許請求の範囲における限定事項は当該特許請求の範囲で用いられた用語に基づいて広く解釈されるべきであり、本明細書あるいは本願のプロセキューション中に記載された実施形態及び変形例に限定されるべきではない。そのような実施形態及び変形例は非排他的であると解釈されるべきである。例えば、本明細書において、「好ましくは」、「よい」という用語は非排他的なものであって、「好ましいがこれに限定されるものではない」、「よいがこれに限定されるものではない」ということを意味する。
【０１８７】
なお、サービス指標データ出力システム１，１ａ，１ｂにおいて、パーマネントオープンキャビンビークル６の代わりに、ビークルが用いられてもよい。ビークルは、パーマネントオープンキャビンビークル６を含む概念である。また、ビークルは、公道を走行できる自動四輪車を含む。また、ビークルは、着脱不可な屋根が運転席に設けられたビークルを含む。従って、ビークルは、屋根を有する飛行機、屋根を有する船舶、屋根を有するヘリコプターを含む。また、ビークルは、自動運転されてもよいし、遠隔操作されてもよい。
【０１８８】
なお、ビークルは、ドライバーやパッセンジャーが乗り込むためのキャビンを有さなくてもよい。このようなビークルは、例えば、自動運転作業ビークル及び遠隔操作作業ビークルである。自動運転作業ビークルとは、自動運転により農作業や建設作業、土木作業等を行うビークルである。遠隔操作作業ビークルとは、遠隔操作により農作業や建設作業、土木作業等を行うビークルである。
【０１８９】
なお、ビークルがヘリコプターである場合には、動力源は、エンジンであってもよいし、モータであってもよい。このとき、ヘリコプターの動力源は、ローターを回転させる。ビークルが船舶である場合には、動力源は、エンジンであってもよいし、モータであってもよいし、ポンプジェットであってもよい。このとき、船舶の動力源であるエンジン又はモータは、スクリューを回転させる。ビークルが飛行機である場合には、動力源は、エンジン（ジェットエンジンを含む）であってもよいし、モータであってもよい。このとき、飛行機の動力源であるジェットエンジンは、タービンを回転させる。また、飛行機の動力源であるエンジン又はモータは、プロペラを回転させる。
【０１９０】
なお、サービス指標データ出力システム１，１ａ，１ｂにおいて、パーマネントオープンキャビンビークル使用量データＵＤは、積算走行距離、動力源積算回転数及び動力源始動回数を含んでいる。しかしながら、パーマネントオープンキャビンビークル使用量データＵＤは、積算走行距離、動力源積算回転数及び動力源始動回数以外のパーマネントオープンキャビンビークル６の使用量を含んでいてもよい。従って、パーマネントオープンキャビンビークル使用量データＵＤは、パーマネントオープンキャビンビークル６の動力源６６の回転数の時間微分値が所定値を上回った回数、パーマネントオープンキャビンビークル６の動力源６６の回転数の時間微分値が所定値を下回った回数、タイヤの回転数、タイヤの回転数の時間微分値が所定値を上回った回数、タイヤの回転数の時間微分値が所定値を下回った回数、タイヤの回転数の時間積分値、ロータの回転数、ロータの回転数の時間微分値が所定値を上回った回数、ロータの回転数の時間微分値が所定値を下回った回数、ロータの回転数の時間積分値、スクリューの回転数、スクリューの回転数の時間微分値が所定値を上回った回数、スクリューの回転数の時間微分値が所定値を下回った回数、スクリューの回転数の時間積分値、タービンの回転数、タービンの回転数の時間微分値が所定値を上回った回数、タービンの回転数の時間微分値が所定値を下回った回数、タービンの回転数の時間積分値、プロペラの回転数、プロペラの回転数の時間微分値が所定値を上回った回数、プロペラの回転数の時間微分値が所定値を下回った回数、プロペラの回転数の時間積分値、パーマネントオープンキャビンビークル６のエンジンの水温又は油温が所定温度を上回った回数、パーマネントオープンキャビンビークル６のエンジンの水温又は油温が所定温度を下回った回数、パーマネントオープンキャビンビークルのエンジンの水温又は油温の時間積分値、バッテリ電流、バッテリ電流の時間積分値、バッテリ電流の時間微分値が所定値を上回った回数、バッテリ電流の時間微分値が所定値を下回った回数、バッテリ電圧、バッテリ電流をバッテリ電圧で割った値の時間微分値が所定値を上回った回数、又は、バッテリ電流をバッテリ電圧で割った値の時間微分値が所定値を下回った回数を含んでもよい。また、パーマネントオープンキャビンビークル使用量データＵＤは、パーマネントオープンキャビンビークル６が使用されると増加し、かつ、パーマネントオープンキャビンビークル使用量データＵＤの増加に伴いパーマネントオープンキャビンビークル６のメンテナンスの必要性が高くなる指標であれば、上記例示した指標に限らない。
【０１９１】
なお、パーマネントオープンキャビンビークル６のセンサ群４６は、後輪回転センサの代わりに前輪回転センサを含んでいてもよい。前輪回転センサは、前輪６２の回転数をカウントする。また、センサ群４６は、前輪回転センサ及び後輪回転センサの両方を含んでいてもよい。
【０１９２】
なお、パーマネントオープンキャビンビークル６のセンサ群４６は、後輪回転センサ、動力源回転センサ、動力源始動センサ以外のセンサを更に備えていてもよい。パーマネントオープンキャビンビークル６のセンサ群４６は、例えば、車速センサ、加速度センサ、エンジンの水温センサ、エンジンの油温センサ、バッテリの電流計、バッテリの電圧計を含んでいてもよい。
【０１９３】
なお、サービス指標データ出力システム１，１ａ，１ｂにおいて、ユーザは、パーマネントオープンキャビンビークル６のメータパネルで最新パーマネントオープンキャビンビークル使用量データＮＵＤを確認して、最新パーマネントオープンキャビンビークル使用量データＮＵＤを入出力部３２により入力してもよい。この場合、携帯端末４は、ＢＴ通信部３６により最新パーマネントオープンキャビンビークル使用量データＮＵＤを取得する必要がない。サービス指標データ出力システム１ｂにおいて、ユーザが最新パーマネントオープンキャビンビークル使用量データＮＵＤを入出力部３２により入力する場合には、入出力部３２がパーマネントオープンキャビンビークル使用量データ取得部１８として機能する。
【０１９４】
なお、サービス指標データ出力システム１ｂにおいて、ユーザは、パーマネントオープンキャビンビークル特定データＩＤを入出力部３２により入力してもよい。この場合、携帯端末４は、ＢＴ通信部３６によりパーマネントオープンキャビンビークル特定データＩＤを取得する必要がない。
【０１９５】
なお、サービス指標データ出力システム１，１ａにおいて、サービス指標データ出力部２０は、サーバ２の外部にサービス指標データＩＤを出力すればよい。同様に、サービス指標データ出力システム１ｂにおいて、サービス指標データ出力部２０は、携帯端末４の外部にサービス指標データＩＤを出力すればよい。従って、サービス指標データＩＤの出力の方法は、電気信号、画像、音声のいずれであってもよいし、これらの組み合わせでもよい。
【０１９６】
なお、サービス指標データ出力システム１，１ａ，１ｂにおいて、携帯端末４がパーマネントオープンキャビンビークル６に固定されていてもよい。すなわち、携帯端末４は、パーマネントオープンキャビンビークル６の車載端末であってもよい。この場合、ＥＣＵ４０がＣＰＵ３０に統合されると共に、ＢＴ通信部３６，４２が不要となる。携帯端末４は、パーマネントオープンキャビンビークル６から取り外すことができてもよいし、パーマネントオープンキャビンビークル６から取り外すことができなくてもよい。
【０１９７】
なお、サービス指標データ出力システム１，１ａ，１ｂにおいて、パーマネントオープンキャビンビークル６がメンテナンスを受けた場合には、サービス指標データＳＤを０にリセット又は減算してもよい。また、サービス指標データ出力システム１，１ａ，１ｂにおいて、パーマネントオープンキャビンビークル６がメンテナンスを受けた場合には、最新パーマネントオープンキャビンビークル使用量データＮＵＤ又はパーマネントオープンキャビンビークル使用量データＵＤの内のメンテナンスに関連する指標を０にリセット又は減算してもよい。
【０１９８】
なお、パーマネントオープンキャビンビークル６は、リース車両であってもよい。パーマネントオープンキャビンビークル６がリース車両である場合、ユーザは、例えば、リース会社とパーマネントオープンキャビンビークル６のリース契約をしている契約者である。
【０１９９】
なお、パーマネントオープンキャビンビークル６は、レンタカーであってもよい。パーマネントオープンキャビンビークル６がレンタカーである場合、ユーザは、例えば、レンタカーを所有するレンタカー会社である。
【０２００】
なお、サービス指標データ出力システム１，１ａ，１ｂにおいて、サービス指標データＳＤをパーマネントオープンキャビンビークル６のメンテナンスに関するサービスに交換することは、必須の動作ではない。
【０２０１】
なお、サービス指標データ出力システム１，１ａ，１ｂでは、製造者が「ＸＸＸ」であるパーマネントオープンキャビンビークル６の場合には、第１レートＲＴ１が用いられ、製造者が「ＸＸＸ」以外であるパーマネントオープンキャビンビークル６の場合には、第２レートＲＴ２が用いられている。しかしながら、パーマネントオープンキャビンビークル６の製造者が「ＸＸＸ」又は「ＸＸＸ」以外のいずれであっても同じレートが用いられてもよい。
【０２０２】
なお、サービス指標データ出力システム１，１ａ，１ｂにおいて、製造者が「ＸＸＸ」であるパーマネントオープンキャビンビークル６に関する情報のみが登録可能であってもよい。
【符号の説明】
【０２０３】
１，１ａ，１ｂ：サービス指標データ出力システム
２：サーバ
４：携帯端末
６：パーマネントオープンキャビンビークル
１０，３０：ＣＰＵ
１２，３８：通信部
１４，３４，４４：記憶部
１６：サービス指標データ更新部
１８：パーマネントオープンキャビンビークル使用量データ取得部
１９：交換サービス指標データ取得部
２０：サービス指標データ出力部
２４：サービス指標データ記憶部
２６：換算テーブル記憶部
３２：入出力部
３６，４２：ＢＴ通信部
４０：ＥＣＵ
４６：センサ群
ＤＳＤ：差分サービス指標データ
ＤＵＤ：差分パーマネントオープンキャビンビークル使用量データ
ＳＤ：サービス指標データ
ＮＵＤ：最新パーマネントオープンキャビンビークル使用量データ
ＲＱ：パーマネントオープンキャビンビークル使用量データ要求
ＲＴ１：第１レート
ＲＴ２：第２レート
ＵＤ：パーマネントオープンキャビンビークル使用量データ
【図１】
2020038406.tif 000003
【図２】
2020038406.tif 000004
【図３Ａ】
2020038406.tif 000005
【図３Ｂ】
2020038406.tif 000006
【図４】
2020038406.tif 000007
【図５】
2020038406.tif 000008
【図６】
2020038406.tif 000009
【図７】
2020038406.tif 000010
【図８】
2020038406.tif 000011
【図９】
2020038406.tif 000012
【図１０】
2020038406.tif 000013
【図１１】
2020038406.tif 000014
【図１２】
2020038406.tif 000015
【図１３】
2020038406.tif 000016
【図１４】
2020038406.tif 000017
【図１５】
2020038406.tif 000018
【図１６】
2020038406.tif 000019
【図１７】
2020038406.tif 000020
【図１８】
2020038406.tif 000021
【図１９】
2020038406.tif 000022
【図２０】
2020038406.tif 000023
【図２１】
2020038406.tif 000024
【図２２】
2020038406.tif 000025
【図２３】
2020038406.tif 000026
【図２４】
2020038406.tif 000027
【図２５】
2020038406.tif 000028